(57)【要約】  貨幣入出金処理システムは、貨幣処理機（１０）と、中央制御装置（１３、１４）とを備えている。貨幣処理機（１０）は、筐体（１１）と、この筐体（１１）内に設けられ、紙幣や硬貨からなる貨幣の収納を行う貨幣収納部（４０）とを有している。筐体（１１）内には、当該筐体（１１）の外部から内部に取り込まれた貨幣を一時的に収納するとともにこの収納された貨幣または筐体（１１）の外部から内部に取り込まれた貨幣を貨幣収納部（４０）に送る貨幣リサイクル処理機構（２０、３０）が設けられている。中央制御装置（１３、１４）は、貨幣処理機（１０）とは隔離して設けられており、貨幣処理機（１０）と通信接続されている。中央制御装置（１３、１４）は、貨幣処理機（１０）における貨幣収納部（４０）および貨幣リサイクル処理機構（２０、３０）のそれぞれに対して信号の送受信を行う。
2010004640.tif 000002
【特許請求の範囲】
【請求項１】
貨幣の入出金処理を行うための貨幣入出金処理システムであって、
筐体と、前記筐体内に設けられ、貨幣の収納を行う貨幣収納部と、前記筐体内に設けられ、当該筐体の外部から内部に取り込まれた貨幣をリサイクル式貨幣収納部に一時的に収納するとともにこのリサイクル式貨幣収納部に収納された貨幣または前記筐体の外部から内部に取り込まれた貨幣を前記貨幣収納部に送ったり前記筐体の外部に返却したりする貨幣リサイクル処理機構と、を有する貨幣処理機と、
当該当該貨幣処理機と通信接続されており、前記貨幣処理機の遠隔操作を行う少なくとも１つの中央制御装置とを備え、
前記貨幣リサイクル処理機構は第１の管理権限下にあり、前記貨幣収納部は第２の管理権限下にあり、前記中央制御装置は前記貨幣処理機における前記貨幣収納部および前記貨幣リサイクル処理機構のそれぞれ対して信号の送受信を行うことを特徴とする貨幣入出金処理システム。
【請求項２】
前記中央制御装置は、前記貨幣処理機から当該貨幣処理機における貨幣の処理状況に係る情報の信号を受信するようになっているとともに、前記貨幣処理機に対して当該貨幣処理機の各種処理に係る指令の信号を送信するようになっていることを特徴とする請求項１記載の貨幣入出金処理システム。
【請求項３】
前記少なくとも１つの中央制御装置は、前記第１の管理権限下にある第１の中央制御装置および前記第２の管理権限下にある第２の中央制御装置を有し、前記第１の中央制御装置は前記貨幣処理機におけるリサイクル式貨幣収納部と信号の送受信を行い、前記第２の中央制御装置は前記貨幣処理機における貨幣収納部と信号の送受信を行うことを特徴とする請求項２記載の貨幣入出金処理システム。
【請求項４】
前記少なくとも１つの中央制御装置は、第１の中央制御装置および第２の中央制御装置を有し、前記貨幣処理機から当該貨幣処理機における貨幣の処理状況に係る情報の信号が前記第１の中央制御装置に送信され、この信号が前記第１の中央制御装置から前記第２の中央制御装置に送信されるとともに、前記第２の中央制御装置から前記貨幣処理機に対して当該貨幣処理機の各種処理に係る指令の信号が送信されるようになっていることを特徴とする請求項２記載の貨幣入出金処理システム。
【請求項５】
前記貨幣処理機に対して前記中央制御装置が送信する、前記貨幣処理機の各種処理に係る指令の信号は、引渡コマンド、および確定コマンドのうち少なくとも１つのコマンドに係る信号であることを特徴とする請求項２記載の貨幣入出金処理システム。
【請求項６】
前記中央制御装置が前記貨幣処理機から受信する、前記貨幣処理機における貨幣の処理状況に係る情報の信号は、引渡データ、納金データ、出金データ、補充データ、およびリサイクル式貨幣収納部在高データからなる群のうち少なくとも１つのデータに係る信号であることを特徴とする請求項２記載の貨幣入出金処理システム。
【請求項７】
引渡データ、納金データ、出金データ、および補充データからなる群のうち少なくとも１つのデータに操作者のＩＤ情報が関連付けられ、
前記貨幣処理機から、この操作者のＩＤ情報が関連付けられたデータに係る信号が前記中央制御装置に送信されることを特徴とする請求項６記載の貨幣入出金処理システム。
【請求項８】
前記中央制御装置は、前記貨幣処理機から受信した信号における、当該貨幣処理機における貨幣の処理状況に係る情報に基づいて、対処を要求する信号を発することを特徴とする請求項１記載の貨幣入出金処理システム。
【請求項９】
前記中央制御装置は、前記リサイクル式貨幣収納部において貨幣が満杯になったという情報が前記貨幣処理機から送られた際に、引渡処理を要求する信号を発することを特徴とする請求項８記載の貨幣入出金処理システム。
【請求項１０】
前記貨幣処理機は、当該貨幣処理機が操作を要求しているときに放置されていると判断すると放置信号を前記中央制御装置に送信するようになっており、
前記中央制御装置は、前記貨幣処理機から放置信号が送られた際に、放置の対処を要求する信号を発することを特徴とする請求項８記載の貨幣入出金処理システム。
【請求項１１】
前記貨幣処理機は、前記リサイクル式貨幣収納部に収納された貨幣の数量の情報に係る信号を前記中央制御装置に送信するようになっており、
前記中央制御装置は、前記貨幣処理機から送られた、前記リサイクル式貨幣収納部に収納された貨幣の数量が所定量より少ないときに、補充を要求する信号を発することを特徴とする請求項８記載の貨幣入出金処理システム。
【請求項１２】
前記貨幣処理機は、当該貨幣処理機に障害が発生したときに障害データを前記中央制御装置に送信するようになっており、
前記中央制御装置は、前記貨幣処理機から障害データが送られた際に、障害の対処を要求する信号を発することを特徴とする請求項８記載の貨幣入出金処理システム。
【発明の詳細な説明】
【技術分野】
【０００１】
本発明は、筐体の外部から内部に取り込まれた紙幣や硬貨等からなる貨幣を一時的に収納するとともに、この収納された貨幣または筐体の外部から内部に取り込まれた貨幣を貨幣収納部に送ったり筐体の外部に返却したりする貨幣処理機を備えた貨幣入出金処理システムに関する。なお、本明細書における「貨幣」は紙幣であっても硬貨であってもよい。
【背景技術】
【０００２】
従来より、店舗等において売上金等の貨幣の入金処理、釣銭等の貨幣の出金処理、および売上金等の回収業務を委託された警備会社の警備員等の収集特定者への貨幣の引渡処理を行う貨幣処理機が知られている。このような貨幣処理機は、貨幣の収納を行う貨幣収納部と、筐体の外部から内部に取り込まれた貨幣を一時的に収納するとともに、この収納された貨幣または筐体の外部から内部に取り込まれた貨幣を貨幣収納部に送ったり筐体の外部に返却したりする貨幣リサイクル処理機構と、を備えている。貨幣リサイクル処理機構に収納された貨幣（上部の貨幣）と、貨幣収納部に収納された貨幣（下部の貨幣）の管理権限は区別されており、前者の管理権限は貨幣処理機から紙幣の回収を行う収集特定者側にあり、後者の管理権限は貨幣処理機に対して入金処理や出金処理を行う店舗側にある。よって、貨幣処理機の上部の貨幣に対する入金処理、出金処理、引渡処理等の操作や、上部の貨幣の入出金情報や在高データへのアクセスは店舗側の権限のある操作者のみが行うことができ、一方、貨幣処理機の下部の貨幣の回収は収集特定者のみが行うことができる。【０００３】
図２１に、上述のような貨幣処理機を備えた従来の貨幣入出金処理システムの概略の構成を示す。従来の貨幣入出金処理システムは、貨幣処理機６０と、この貨幣処理機６０からそれぞれ隔離して設けられたデータセンター７０および現金センター６４とを備えている。現金センター６４およびデータセンター７０には、それぞれ中央制御装置が設置されている。以下の記載において、現金センター６４やデータセンター７０とは、それぞれ中央制御装置を意味している。貨幣処理機６０は、筐体６０ａと、筐体６０ａ内に設けられ、貨幣の収納を行う貨幣収納カセットを有する貨幣収納部６０ｂと、筐体６０ａ内に設けられ、当該筐体６０ａの外部から内部に取り込まれた貨幣を一時的に収納するとともに、この収納された貨幣または筐体６０ａの外部から内部に取り込まれた貨幣を貨幣収納部６０ｂに送ったり筐体６０ａの外部に返却したりする貨幣リサイクル処理機構６０ｃと、を有している。また、貨幣処理機６０にはコントローラ６２が設けられている。コントローラ６２は現金センター６４に有線または無線により通信接続されており、このコントローラ６２を介して現金センター６４と貨幣処理機６０との間で信号の送受信を行うようになっている。より具体的には、現金センター６４は、コントローラ６２を介して、収集特定者が貨幣収納部６０ｂから貨幣収納カセットを回収するときに、貨幣処理機６０に対して締め処理（後述）の命令を送信し、収集特定者が貨幣収納部６０ｂから貨幣収納カセットを回収することができるようにするとともに、貨幣収納カセットに収納された貨幣の情報を受信している。なお、締め処理において、前回の締め処理から今回の締め処理までの間に、貨幣収納カセットに収納された貨幣の量等の情報を貨幣処理機６０が現金センター６４に送信するようになっている。【０００４】
このようにして、コントローラ６２を介して現金センター６４から貨幣処理機６０の貨幣収納部６０ｂに対して遠隔操作を行うことができるようになっている。なお、図２１に示すように、現金センター６４とデータセンター７０とは有線または無線により互いに通信接続されており、現金センター６４とデータセンター７０との間で様々なデータの送受信が行われるようになっている。【０００５】
一方、貨幣処理機６０の貨幣リサイクル処理機構６０ｃの管理を行うためには、貨幣処理機６０を直接操作するか、あるいは貨幣処理機６０に専用のパーソナルコンピュータ６６等を接続し、このパーソナルコンピュータ６６により貨幣リサイクル処理機構６０ｃの制御を行わなければならない。図２１に示すように、パーソナルコンピュータ６６にはプリンタ７２、カードリーダ７４、およびスキャナー７６をそれぞれ接続させることができる。一方、パーソナルコンピュータ６６にルーター６８を設けることにより、このルーター６８がデータセンター７０との間で信号の送受信を行うことができるようになる。【０００６】
一方、図２１に示すような貨幣入出金処理システムとは別の装置として、特許第３９０９６３２号に開示されるような現金自動取引装置が知られている。特許第３９０９６３２号に開示される現金自動取引装置は、入出金等の現金による取引を自動で行うものであり、特に、コンビニエンスストア等の店舗に設置された場合に、金融機関側と店舗側との双方の用途で利用可能としたものである。より具体的には、特許第３９０９６３２号には、現金は同一の収納庫に収納されるが、収納庫内の貨幣の所有者を明確に区別することができ、商品予約受付機や小売店入金機と兼用することができるような現金自動取引装置が開示されている。このような現金自動取引装置には、当該現金自動取引装置の内部の貨幣管理において金融機関の貨幣管理を行う記憶部と店舗の貨幣管理を行う記憶部とがそれぞれ別個に設けられており、現金自動取引装置の使用用途を取引種別判定手段により判断し、取引種別毎に両記憶部の更新方法を変化させるとともに装置内部の収納庫からの出金および入金の要否を制御するようになっている。【０００７】
また、特開２００３−１４１６０９号公報には、入金した金額を取り出すことができ、また現金回収業者により回収される現金を収納する収納部（金庫）が満杯になり難く、店舗側の入金管理が便利であり、また現金回収業者の現金回収作業が容易となる店舗用入出金装置が開示されている。特開２００３−１４１６０９号公報に示すような店舗用入出金装置では、入金された現金を、店舗の釣銭用に出金される店舗準備金と、金融機関への送金対象であり出金されることのない店舗売上高とに区別して管理している。そして、警備会社のホストコンピュータには、店舗用入出金装置における入出金データ等が送信されるようになっている。さらに、上述の店舗用入出金装置には、店舗内に設置された外部制御装置を接続することが可能であり、この外部制御装置により、例えばＰＯＳレジスタと連動して顧客から受け取った現金を入金するとともに釣銭を出金するということや、パーソナルコンピュータと接続して管理等を外部から行うこと等がなされている。
【発明の開示】
【０００８】
図２１に示すような従来の貨幣入出金処理システムでは、貨幣処理機６０の貨幣リサイクル処理機構６０ｃの管理は基本的に店舗の中の操作者が行う。また、貨幣処理機６０内の現金等の状況は店舗内のみで把握が可能である。そのため、例えば、売上高などの状況に応じて引渡金額を決定して引渡処理を行ったり、あるいは、不具合からの復旧等は、判断力や装置への習熟が必要であったりするので、それらを行う権限のある操作者を貨幣処理機６０が設置された店舗内に配置するのが通常である。なお、「引渡処理」とは、貨幣処理機６０内の金銭を店舗から警備会社へ引き渡す処理という意味で用いており、上述のような貨幣処理機６０では、筐体６０ａの外部から貨幣リサイクル処理機構６０ｃに取り込まれた貨幣が貨幣収納部６０ｂに収納されたことにより、貨幣が引き渡されたものとしている。
【０００９】
また、図２１に示すような従来の貨幣入出金処理システムでは、貨幣処理機６０による貨幣の処理中に、貨幣リサイクル処理機構６０ｃに設けられたリサイクル用貨幣収納部において貨幣が満杯となった場合に、店舗内にいる操作者が引渡処理の指令を行う必要がある。
【００１０】
また、図２１に示すような従来の貨幣入出金処理システムでは、処理中の確定キー押下前に処理が放置された場合に、店舗内にいる操作者が対応する必要がある。
【００１１】
また、特許第３９０９６３２号に開示されるような現金自動取引装置では、店舗資金の入出金に関しては店舗の外部と通信することなく、店舗内でのみ運用することを前提としており、店舗に現金自動取引装置の操作を行うことができる操作者を配置する必要がある。また、特開２００３−１４１６０９号公報に開示されるような店舗用入出金装置でも、当該店舗用入出金装置における各種管理データをセンターホストに送信するようになっているが、店舗内に装置の操作を行うことができる操作者を配置する必要がある。
【００１２】
一方で、近年パートタイマーやアルバイトなど非常勤の従業員を中心に運営する店舗が増えており、このような場合、権限のある操作者が常に店舗にいるように勤務時間を計画することは難しい。また、権限のある操作者が必要なのは営業時間の一部であり、貨幣処理機６０を設置した店舗毎に権限のある操作者を配置することは必ずしも効率的ではない。また、店舗毎に配置した操作者が偶然不在で対処できない場合もある。
【００１３】
本発明は、このような点を考慮してなされたものであり、貨幣処理機を設置した店舗毎に権限のある操作者を常時配置しなくとも運用することができる貨幣入出金処理システムを提供することを目的とする。
【００１４】
本発明の貨幣入出金処理システムは、貨幣の入出金処理を行うための貨幣入出金処理システムであって、筐体と、前記筐体内に設けられ、貨幣の収納を行う貨幣収納部と、前記筐体内に設けられ、当該筐体の外部から内部に取り込まれた貨幣をリサイクル式貨幣収納部に一時的に収納するとともにこのリサイクル式貨幣収納部に収納された貨幣または前記筐体の外部から内部に取り込まれた貨幣を前記貨幣収納部に送ったり前記筐体の外部に返却したりする貨幣リサイクル処理機構と、を有する貨幣処理機と、当該当該貨幣処理機と通信接続されており、前記貨幣処理機の遠隔操作を行う少なくとも１つの中央制御装置とを備え、前記貨幣リサイクル処理機構は第１の管理権限下にあり、前記貨幣収納部は第２の管理権限下にあり、前記中央制御装置は前記貨幣処理機における前記貨幣収納部および前記貨幣リサイクル処理機構のそれぞれ対して信号の送受信を行うことを特徴とする。
【００１５】
本発明の貨幣入出金処理システムにおいては、前記中央制御装置は、前記貨幣処理機から当該貨幣処理機における貨幣の処理状況に係る情報の信号を受信するようになっているとともに、前記貨幣処理機に対して当該貨幣処理機の各種処理に係る指令の信号を送信するようになっていることが好ましい。
【００１６】
この場合、前記少なくとも１つの中央制御装置は、前記第１の管理権限下にある第１の中央制御装置および前記第２の管理権限下にある第２の中央制御装置を有し、前記第１の中央制御装置は前記貨幣処理機におけるリサイクル式貨幣収納部と信号の送受信を行い、前記第２の中央制御装置は前記貨幣処理機における貨幣収納部と信号の送受信を行うようになっていてもよい。
【００１７】
あるいは、前記少なくとも１つの中央制御装置は、第１の中央制御装置および第２の中央制御装置を有し、前記貨幣処理機から当該貨幣処理機における貨幣の処理状況に係る情報の信号が前記第１の中央制御装置に送信され、この信号が前記第１の中央制御装置から前記第２の中央制御装置に送信されるとともに、前記第２の中央制御装置から前記貨幣処理機に対して当該貨幣処理機の各種処理に係る指令の信号が送信されるようになっていてもよい。
【００１８】
また、前記貨幣処理機に対して前記中央制御装置が送信する、前記貨幣処理機の各種処理に係る指令の信号は、引渡コマンド、および確定コマンドのうち少なくとも１つのコマンドに係る信号であってもよい。
【００１９】
また、前記中央制御装置が前記貨幣処理機から受信する、前記貨幣処理機における貨幣の処理状況に係る情報の信号は、引渡データ、納金データ、出金データ、補充データ、およびリサイクル式貨幣収納部在高データからなる群のうち少なくとも１つのデータに係る信号であってもよい。
【００２０】
ここで、引渡データ、納金データ、出金データ、および補充データからなる群のうち少なくとも１つのデータに操作者のＩＤ情報が関連付けられ、前記貨幣処理機から、この操作者のＩＤ情報が関連付けられたデータに係る信号が前記中央制御装置に送信されることが好ましい。
【００２１】
本発明の入出金処理システムにおいては、前記中央制御装置は、前記貨幣処理機から受信した信号における、当該貨幣処理機における貨幣の処理状況に係る情報に基づいて、対処を要求する信号を発することが好ましい。
【００２２】
この際に、前記中央制御装置は、前記リサイクル式貨幣収納部において貨幣が満杯になったという情報が前記貨幣処理機から送られた際に、引渡処理を要求する信号を発するようになっていてもよい。
【００２３】
また、前記貨幣処理機は、当該貨幣処理機が操作を要求しているときに放置されていると判断すると放置信号を前記中央制御装置に送信するようになっており、前記中央制御装置は、前記貨幣処理機から放置信号が送られた際に、放置の対処を要求する信号を発するようになっていてもよい。
【００２４】
また、前記貨幣処理機は、前記リサイクル式貨幣収納部に収納された貨幣の数量の情報に係る信号を前記中央制御装置に送信するようになっており、前記中央制御装置は、前記貨幣処理機から送られた、前記リサイクル式貨幣収納部に収納された貨幣の数量が所定量より少ないときに、補充を要求する信号を発するようになっていてもよい。
【００２５】
また、前記貨幣処理機は、当該貨幣処理機に障害が発生したときに障害データを前記中央制御装置に送信するようになっており、前記中央制御装置は、前記貨幣処理機から障害データが送られた際に、障害の対処を要求する信号を発するようになっていてもよい。
【図面の簡単な説明】
【００２６】
【図１Ａ】本発明の一の実施の形態における貨幣入出金処理システムの構成を示すブロック図である。
【図１Ｂ】本発明の一の実施の形態における貨幣入出金処理システムの他の構成を示すブロック図である。
【図１Ｃ】本発明の一の実施の形態における貨幣入出金処理システムの更に他の構成を示すブロック図である。
【図１Ｄ】本発明の一の実施の形態における貨幣入出金処理システムの更に他の構成を示すブロック図である。
【図２】図１Ａや図１Ｂに示す貨幣入出金処理システムにおける貨幣処理機を示す斜視図である。
【図３Ａ】図２に示す貨幣処理機における紙幣処理装置の構成の概略を示す概略構成図である。
【図３Ｂ】図２に示す貨幣処理機における硬貨処理装置の構成の概略を示す概略構成図である。
【図４】図２に示す貨幣処理機における制御ブロック図である。
【図５Ａ】図２に示す貨幣処理機の紙幣処理装置における補充処理の一連の動作を示す説明図である。
【図５Ｂ】図２に示す貨幣処理機の紙幣処理装置における補充処理の一連の動作を示す説明図である。
【図６Ａ】図２に示す貨幣処理機の硬貨処理装置における補充処理の一連の動作を示す説明図である。
【図６Ｂ】図２に示す貨幣処理機の硬貨処理装置における補充処理の一連の動作を示す説明図である。
【図７Ａ】図２に示す貨幣処理機の紙幣処理装置における納金処理の一連の動作を示す説明図である。
【図７Ｂ】図２に示す貨幣処理機の紙幣処理装置における納金処理の一連の動作を示す説明図である。
【図７Ｃ】図２に示す貨幣処理機の紙幣処理装置における納金処理の一連の動作を示す説明図である。
【図７Ｄ】図２に示す貨幣処理機の紙幣処理装置における納金処理の一連の動作を示す説明図である。
【図７Ｅ】図２に示す貨幣処理機の紙幣処理装置における納金処理の一連の動作を示す説明図である。
【図８Ａ】図２に示す貨幣処理機の硬貨処理装置における納金処理の一連の動作を示す説明図である。
【図８Ｂ】図２に示す貨幣処理機の硬貨処理装置における納金処理の一連の動作を示す説明図である。
【図８Ｃ】図２に示す貨幣処理機の硬貨処理装置における納金処理の一連の動作を示す説明図である。
【図８Ｄ】図２に示す貨幣処理機の硬貨処理装置における納金処理の一連の動作を示す説明図である。
【図８Ｅ】図２に示す貨幣処理機の硬貨処理装置における納金処理の一連の動作を示す説明図である。
【図８Ｆ】図２に示す貨幣処理機の硬貨処理装置における納金処理の一連の動作を示す説明図である。
【図９】図２に示す貨幣処理機の紙幣処理装置における出金処理の一連の動作を示す説明図である。
【図１０】図２に示す貨幣処理機の硬貨処理装置における出金処理の一連の動作を示す説明図である。
【図１１Ａ】図２に示す貨幣処理機の紙幣処理装置における引渡処理の一連の動作を示す説明図である。
【図１１Ｂ】図２に示す貨幣処理機の紙幣処理装置における引渡処理の一連の動作を示す説明図である。
【図１２Ａ】図２に示す貨幣処理機の硬貨処理装置における引渡処理の一連の動作を示す説明図である。
【図１２Ｂ】図２に示す貨幣処理機の硬貨処理装置における引渡処理の一連の動作を示す説明図である。
【図１３Ａ】図２に示す貨幣処理機の紙幣処理装置における大量引渡処理の一連の動作を示す説明図である。
【図１３Ｂ】図２に示す貨幣処理機の紙幣処理装置における大量引渡処理の一連の動作を示す説明図である。
【図１３Ｃ】図２に示す貨幣処理機の紙幣処理装置における大量引渡処理の一連の動作を示す説明図である。
【図１４Ａ】図２に示す貨幣処理機の硬貨処理装置における大量引渡処理の一連の動作を示す説明図である。
【図１４Ｂ】図２に示す貨幣処理機の硬貨処理装置における大量引渡処理の一連の動作を示す説明図である。
【図１４Ｃ】図２に示す貨幣処理機の硬貨処理装置における大量引渡処理の一連の動作を示す説明図である。
【図１５Ａ】図２に示す貨幣処理機の紙幣処理装置における両替処理および逆両替処理の一連の動作を示す説明図である。
【図１５Ｂ】図２に示す貨幣処理機の紙幣処理装置における両替処理および逆両替処理の一連の動作を示す説明図である。
【図１５Ｃ】図２に示す貨幣処理機の紙幣処理装置における両替処理および逆両替処理の一連の動作を示す説明図である。
【図１６Ａ】図２に示す貨幣処理機の硬貨処理装置における両替処理および逆両替処理の一連の動作を示す説明図である。
【図１６Ｂ】図２に示す貨幣処理機の硬貨処理装置における両替処理および逆両替処理の一連の動作を示す説明図である。
【図１６Ｃ】図２に示す貨幣処理機の硬貨処理装置における両替処理および逆両替処理の一連の動作を示す説明図である。
【図１７】図２に示す貨幣処理機の紙幣処理装置における精査処理の一連の動作を示す説明図である。
【図１８Ａ】図２に示す貨幣処理機の硬貨処理装置における精査処理の一連の動作を示す説明図である。
【図１８Ｂ】図２に示す貨幣処理機の硬貨処理装置における精査処理の一連の動作を示す説明図である。
【図１９Ａ】図２に示す貨幣処理機の紙幣処理装置における計数処理の一連の動作を示す説明図である。
【図１９Ｂ】図２に示す貨幣処理機の紙幣処理装置における計数処理の一連の動作を示す説明図である。
【図２０Ａ】図２に示す貨幣処理機の硬貨処理装置における計数処理の一連の動作を示す説明図である。
【図２０Ｂ】図２に示す貨幣処理機の硬貨処理装置における計数処理の一連の動作を示す説明図である。
【図２１】従来の貨幣入出金処理システムの構成を示すブロック図である。
【発明を実施するための最良の形態】
【００２７】
以下、図面を参照して本発明の一の実施の形態の貨幣入出金処理システムについて説明する。本実施の形態に係る貨幣入出金処理システムは、収集特定者側に管理権限がある貨幣収納部と店舗側に管理権限がある貨幣リサイクル処理機構とを１つの筐体内に有する貨幣処理機において、中央制御装置と貨幣収納部および貨幣リサイクル処理機構との間で命令やデータの送受信が行えるようにしたものである。中央制御装置側より貨幣処理機の操作や管理を可能とすることで、貨幣処理機を配置した店舗毎に権限ある操作者を常時配置しなくとも運用することができる。【００２８】
本実施の形態に係る貨幣入出金処理システムは、硬貨および紙幣からなる貨幣の補充処理、納金処理、出金処理、引渡処理、大量引渡処理、両替処理、逆両替処理、精査処理、計数処理等を行う機能を有する貨幣処理機を備えたものである。図１乃至図２０は、本発明の一の実施の形態における貨幣入出金処理システムの構成を示すブロック図である。このうち、図１Ａは、本実施の形態の貨幣入出金処理システムの構成を示すブロック図であり、図１Ｂは、本実施の形態における貨幣入出金処理システムの他の構成を示すブロック図である。また、図２は、図１Ａや図１Ｂに示す貨幣入出金処理システムにおける貨幣処理機を示す斜視図である。また、図３Ａは、図２に示す貨幣処理機における紙幣処理装置の構成の概略を示す概略構成図であり、図３Ｂは、図２に示す貨幣処理機における硬貨処理装置の構成の概略を示す概略構成図である。また、図４は、図２に示す貨幣処理機における制御ブロック図である。また、図５乃至図２０は、図２に示す貨幣処理機の紙幣処理装置または硬貨処理装置における各種の処理の動作を示す説明図である。【００２９】
図１Ａに示すように、本実施の形態の貨幣入出金処理システムは、店舗内に設置された貨幣処理機１０と、この貨幣処理機１０からそれぞれ隔離して店舗外に設けられた現金センター１３およびデータセンター１４とを備えている。現金センター１３およびデータセンター１４には、それぞれ中央制御装置が設置されている。以下の記載において、現金センター１３やデータセンター１４とは、それぞれ中央制御装置を意味している。貨幣処理機１０にはコントローラ１２が設けられており、このコントローラ１２は現金センター１３に有線または無線により通信接続されており、現金センター１３に対して信号の送受信を行うようになっている。このことにより、コントローラ１２を介して現金センター１３から貨幣処理機１０に対して遠隔操作を行うことができるようになっている。ここで、コントローラ１２は貨幣処理機１０に対して例えばＬＡＮ等により接続される通信制御装置や端末、もしくは、貨幣処理機１０に内蔵された通信部等である。【００３０】
また、図１Ａに示すように、現金センター１３とデータセンター１４とは有線または無線により互いに通信接続されており、現金センター１３とデータセンター１４との間で様々なデータの送受信が行われるようになっている。このため、貨幣処理機１０からコントローラ１２を介して現金センター１３に送られた、貨幣処理機１０における紙幣や硬貨等の貨幣の処理状況に係る情報はデータセンター１４にも送られるようになっている。本発明においては、現金センター１３およびデータセンター１４にそれぞれ中央制御装置が設けられている。しかしながら、中央制御装置はこのような例に限定されることはなく、例えば現金センター１３のみ、あるいはデータセンター１４のみに設けられていてもよい。貨幣処理機１０、コントローラ１２、現金センター１３およびデータセンター１４の構成の詳細については後述する。【００３１】
本実施の形態の貨幣入出金処理システムの構成は図１Ａに示すようなものに限定されることはなく、代わりに図１Ｂに示すようなものとすることもできる。図１Ｂに示すような貨幣入出金処理システムは、貨幣処理機１０と、この貨幣処理機１０からそれぞれ隔離して店舗外に設けられた現金センター１３およびデータセンター１４とを備えている点では図１Ａに示す貨幣入出金処理システムと略同一の構成となっているが、この貨幣処理機１０に設けられるコントローラ１７は機能の拡張性の高いコントローラとなっている。【００３２】
コントローラ１７は、現金センター１３およびデータセンター１４にそれぞれ有線または無線により通信接続されており、現金センター１３およびデータセンター１４に対してそれぞれ信号の送受信を行うようになっている。【００３３】
図１Ｂに示す貨幣入出金処理システムにおけるコントローラ１７は機能の追加が可能であり、プリンタ１７ａ、カードリーダ１７ｂ、スキャナー１７ｃをそれぞれ接続することができるようになっている。プリンタ１７ａは、貨幣処理機１０における紙幣や硬貨等の貨幣の処理状況に係る情報等を印刷するよう構成されている。また、カードリーダ１７ｂは、貨幣処理機１０に備えているカードリーダに加えて接続でき、操作者が携帯しているＩＤカードのＩＤ情報を読み取るよう構成されている。そして、コントローラ１７に入力された操作者のＩＤ情報に係る信号により、操作者の識別が行われるようになっている。また、スキャナー１７ｃは、紙幣の記番号やバーコード等を撮像するよう構成されている。また、このコントローラ１７はルーターとしての機能も有している。【００３４】
また、コントローラ１７には操作者のパーソナルコンピュータ１７ｄを接続することも可能となっている。この場合、コントローラ１７に接続されたパーソナルコンピュータ１７ｄにより操作者が貨幣処理機１０の操作を行うことができることとなる。また、このパーソナルコンピュータ１７ｄは、後述するデータセンター１４とも送受信可能とすることができるようになっている。【００３５】
次に、図１Ａや図１Ｂに示す貨幣処理機１０の構成の詳細について図２乃至図４を用いて説明する。【００３６】
図２Ａに示すように、貨幣処理機１０は略直方体形状の筐体１１を備えており、この筐体１１には、貨幣処理機１０を前方から見て右側に配置された紙幣処理装置２０と、左側に配置された硬貨処理装置３０とがそれぞれ左右に並ぶよう設けられている。また、貨幣処理機１０の筐体１１において、紙幣処理装置２０および硬貨処理装置３０の下方には、硬貨および紙幣の収納を行う貨幣収納部４０が設けられている。以下、紙幣処理装置２０、硬貨処理装置３０および貨幣収納部４０の各構成要素について詳述する。【００３７】
まず、紙幣処理装置２０の構成について図２および図３Ａを用いて説明する。図２および図３Ａに示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。【００３８】
紙幣投入口２１は、操作者により１または束状態の複数の紙幣が短手方向に一括して投入されるよう構成されている。図２に示すように、この紙幣投入口２１には紙幣ステージ２８が配設されている。この紙幣ステージ２８は、待機時には上昇位置にありこの際には操作者は紙幣投入口２１に紙幣を投入することができず、一方、紙幣の処理時には下降して操作者が紙幣投入口２１に紙幣を投入することができるように構成されている。図３Ａに示すように、紙幣投入口２１は搬送部２５に接続されており、紙幣投入口２１に投入された１または束状態の複数の紙幣は、１枚ずつ搬送部２５で搬送されるようになっている。【００３９】
紙幣リジェクト口２２は、図３Ａに示すように搬送部２５に接続されており、紙幣投入口２１により紙幣処理装置２０内に取り込まれた紙幣のうち後述する識別部２６によりリジェクトすべき紙幣であると識別された紙幣が搬送部２５から送られるようになっている。操作者はこの紙幣リジェクト口２２に送られた紙幣を取り出すことができるようになっている。また、紙幣リジェクト口２２は、釣銭等を出金するための出金口を兼ねている。紙幣リジェクト口２２にはカバー（図示せず）が設けられており、待機時にはこのカバーは開状態となっており、処理時にはこのカバーは閉状態となる。【００４０】
紙幣返却口２３には、図３Ａに示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣収納カセット４１（後述）に送られる場合もある。【００４１】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図３Ａに示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。図３Ａに示すように、搬送部２５は、紙幣投入口２１に投入された紙幣を紙幣リジェクト口２２、紙幣保留部２９または後述するリサイクル式紙幣収納部２７に搬送したり、あるいはリサイクル式紙幣収納部２７に一時的に収納された紙幣を紙幣リジェクト口２２や紙幣保留部２９に搬送したりするよう構成されている。【００４２】
図３Ａに示すように、搬送部２５には、当該搬送部２５で搬送される紙幣の識別を１枚ずつ行う識別部２６が介設されている。この識別部２６は、搬送部２５で搬送される紙幣の金種、真偽、正損等を識別するようになっている。具体的には、識別部２６は、磁気センサや光学センサを有し、これらのセンサにより紙幣の金種や真偽等を１枚ずつ識別するようになっている。識別部２６による紙幣の識別結果は後述する制御部１５に送られるようになっている。【００４３】
紙幣処理装置２０の内部には、リサイクル式紙幣収納部２７が複数（例えば３つ）並列に設けられている。ここで、複数のリサイクル式紙幣収納部２７ａ〜２７ｃは、概して金種別に用いられるようになっており、例えば日本円に係る紙幣を紙幣処理装置２０に処理させる場合には、千円札、５千円札、１万円札をそれぞれリサイクル式紙幣収納部２７ａ〜２７ｃに収納させるようになっている。場合によっては、リサイクル式紙幣収納部２７ｂに、２千円札と５千円札とを混合で収納する。なお、米ドル（１ドル札、２ドル札、５ドル札、１０ドル札、２０ドル札、５０ドル札、１００ドル札等）や人民元（１元札、５元札、１０元札、２０元札、５０元札、１００元札等）に係る紙幣を紙幣処理装置２０に処理させる場合には、これらの通貨に係る紙幣の金種は３つよりも多いため、リサイクル式紙幣収納部２７の数を増やすか、あるいはリサイクル式紙幣収納部２７に収納されるべき紙幣の金種を限定するようになっている。図３Ａに示すように、各リサイクル式紙幣収納部２７は、正逆両方向に回転可能なドラム２７ｐをそれぞれ有しており、各ドラム２７ｐに一対のテープが巻き取られるようになっている。搬送部２５から各リサイクル式紙幣収納部２７ａに送られた紙幣は、この一対のテープの間に挟まれた状態で１枚ずつ順次ドラム２７ｐにより巻き取られるようになっている。【００４４】
更に詳しく説明すると、各ドラム２７ｐは、図３Ａの紙面に直交する軸を中心として図３Ａの時計回りおよび反時計回りの両方向に回転するようになっている。各ドラム２７ｐの外周面には、それぞれ、一対のテープの各端部が各々同じ箇所で取り付けられており、各ドラム２７ｐが図３Ａの反時計回りに回転することにより一対のテープがドラム２７ｐに巻き取られるようになっている。このドラム２７ｐの駆動は後述する制御部１５により制御されるようになっている。そして、搬送部２５から各リサイクル式紙幣収納部２７に送られた紙幣は、一対のテープの間に挟持され、各ドラム２７ｐが図３Ａの反時計回りに回転することによりこの紙幣は一対のテープごと各ドラム２７ｐに１枚ずつ巻き取られるようになっている。この際に、複数の紙葉類は間隔をおいて１枚ずつ各ドラム２７ｐに巻き取られることとなる。一方、各ドラム２７ｐが図３Ａの時計回りに回転することにより、各ドラム２７ｐに巻き取られた一対のテープがこのドラム２７ｐから解放され、各リサイクル式紙幣収納部２７に収納された紙幣は搬送部２５に送られる。【００４５】
なお、各リサイクル式紙幣収納部２７は、上述のような、ドラムおよび一対のテープからなり紙幣が一対のテープの間に挟まれた状態でこの一対のテープごとドラムにより巻き取られるような構成に限定されることはなく、他の構成とすることもできる。例えば、各リサイクル式紙幣収納部２７をスタッカ式のものとしてもよい。【００４６】
紙幣保留部２９は、前述のように紙幣返却口２３に設けられており、図３Ａに示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。ここで、紙幣保留部２９にある紙幣を返却する場合には、前述のように、紙幣保留部２９の装置前面側の壁面が開いて、操作者は扉２４から紙幣を取り出すことができるようになっている。扉２４は、紙幣の取り出しが可能な状態になれば、自動的に開くようになっている。また、紙幣保留部２９に紙幣が保留される際に、紙幣は一時保留板に載せられるようになっており、紙幣保留部２９にある紙幣を紙幣収納カセット４１に収納させる際には、この紙幣収納カセット４１に設けられたステージが紙幣保留部２９の一時保留板に載せられた紙幣を迎えにいき、紙幣をステージ上に載せて紙幣保留部２９から紙幣収納カセット４１へ下降し、そしてステージ上の紙幣を上から押さえ部材で押さえて紙幣収納カセット４１へ収納するようになっている。【００４７】
次に、硬貨処理装置３０の構成について図２および図３Ｂを用いて説明する。図２および図３Ｂに示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクトを行ったり、硬貨処理装置３０内に取り込まれた硬貨のうち貨幣収納部４０に収納されない硬貨を硬貨処理装置３０の外部に返却したりする硬貨返却口３２とを備えている。また、図３Ｂに示すように、硬貨処理装置３０の内部には、硬貨投入口３１に投入された硬貨を硬貨処理装置３０内で搬送する搬送部３５が設けられている。【００４８】
硬貨投入口３１は、操作者により１または複数の硬貨が一括して投入されるよう構成されている。この硬貨投入口３１に投入された硬貨は、硬貨処理装置３０の内部に送られるようになっている。【００４９】
硬貨返却口３２は、搬送部３５の下流側端部に接続されており、この搬送部３５から送られた硬貨を貯留するようになっている。操作者はこの硬貨返却口３２に貯留された硬貨を取り出すことができるようになっている。ここで、硬貨返却口３２には、前述のように、硬貨処理装置３０内に取り込まれた硬貨のうち後述する識別部３５ａにより識別不能な硬貨等が送られるとともに、硬貨処理装置３０内に取り込まれた硬貨のうち貨幣収納部４０に収納されない硬貨が送られるようになっており、このような硬貨が硬貨返却口３２により硬貨処理装置３０の外部に返却されるようになっている。【００５０】
図３Ｂに示すように、硬貨処理装置３０の内部には硬貨繰出部３３が設けられている。この硬貨繰出部３３は硬貨投入口３１に連通しており、操作者により硬貨投入口３１から投入された硬貨を一時的に貯留するとともに、この貯留された硬貨を後述する搬送部３５に繰り出すようになっている。硬貨繰出部３３には硬貨繰出用の回転円板（図示せず）が設置されており、この回転円板により硬貨が１枚ずつ搬送部３５に繰り出されるようになっている。【００５１】
搬送部３５は、硬貨処理装置３０の内部で硬貨を１枚ずつ順次搬送する機能を有している。具体的には、搬送部３５において、硬貨は硬貨搬送ベルト（図示せず）によりやや斜めに立った状態で１枚ずつ間隔をおいて搬送されるようになっている。図３Ｂに示すように、搬送部３５の上流側端部および下流側端部は、硬貨繰出部３３および硬貨返却口３２にそれぞれ接続されている。【００５２】
図３Ｂに示すように、搬送部３５には、当該搬送部３５で搬送される硬貨の識別を１枚ずつ行う識別部３５ａが介設されている。この識別部３５ａは、搬送部３５で搬送される硬貨の金種や真偽等を識別するようになっている。具体的には、識別部３５ａは、磁気センサや光学センサを有し、これらのセンサにより硬貨の金種や真偽等を１枚ずつ識別するようになっている。識別部３５ａによる紙幣の識別結果は後述する制御部１５に送られるようになっている。【００５３】
硬貨処理装置３０の内部には、筒状の上入れ上出しタイプのリサイクル式硬貨収納部３４が複数（例えば６つ）並列に設けられており、各リサイクル式硬貨収納部３４はそれぞれ鉛直方向に延びるようになっている。ここで、複数のリサイクル式硬貨収納部３４ａ〜３４ｆは、概して金種別に用いられるようになっており、例えば日本円に係る硬貨を硬貨処理装置３０に処理させる場合には、１円硬貨、５円硬貨、１０円硬貨、５０円硬貨、１００円硬貨、５００円硬貨をそれぞれリサイクル式硬貨収納部３４ａ〜３４ｆに収納させるようになっている。なお、米ドル（１セント硬貨、５セント硬貨、１０セント硬貨、２５セント硬貨、５０セント硬貨、１ドル硬貨等）や人民元（１分硬貨、２分硬貨、５分硬貨、１角硬貨、５角硬貨、１元硬貨等）に係る硬貨を硬貨処理装置３０に処理させる場合には、これらの通貨の金種に対応するリサイクル式硬貨収納部３４がそれぞれ設けられている。各リサイクル式硬貨収納部３４には硬貨が積層状態で収納されるようになっている。【００５４】
図３Ｂに示すように、搬送部３５の途中部分には、硬貨繰出部３３から下流側に向かって順に、間隔をおいて７つの選別孔３６が設けられている。ここで、７つの選別孔３６のうち最も上流側にある選別孔３６（オーバーフロー用の選別孔３６）は、搬送部３５から後述する横方向搬送部３８に直接硬貨を送るために設けられている。具体的には、最も上流側にある選別孔３６は、識別部３５ａによる硬貨の識別結果が所定の条件を満たしたときに（例えば、識別部３５ａにより識別された硬貨の金種に対応するリサイクル式硬貨収納部３４が満杯であったときに）、この硬貨を横方向搬送部３８上に送るようになっている。また、上流側から２番目〜７番目の選別孔３６は、それぞれ各リサイクル式硬貨収納部３４ａ〜３４ｆに対応するものである。【００５５】
図３Ｂに示すように、鉛直方向にそれぞれ延びる各リサイクル式硬貨収納部３４の上部には、硬貨を一時的に保留する金種別硬貨一時保留部３９が設けられている。上述する各選別孔３６を介して搬送部３５から落下した硬貨は、まず金種別硬貨一時保留部３９により一時的に保留されるようになっている。この金種別硬貨一時保留部３９は、各々の金種の硬貨をそれぞれ例えば約１０枚保留することができるようになっている。そして、この金種別硬貨一時保留部３９に保留された硬貨が各リサイクル式硬貨収納部３４に収納されるようになっている。また、この金種別硬貨一時保留部３９は投出部材を有しており、この投出部材により、金種別硬貨一時保留部３９に保留された硬貨を後述する横方向搬送部３８上に投げ出すこともできるようになっている。【００５６】
一方、各リサイクル式硬貨収納部３４内に収納された硬貨がこのリサイクル式硬貨収納部３４から取り出される場合には、まずリサイクル式硬貨収納部３４の下部に設けられたステージ（図示せず）が上方に持ち上げられ、ステージ上の硬貨が金種別硬貨一時保留部３９に送られ、そしてこの硬貨は金種別硬貨一時保留部３９の投出部材により横方向搬送部３８上に投げ出されるようになっている。【００５７】
図３Ｂに示すように、硬貨処理装置３０の内部には硬貨保留部３７ａが設けられており、この硬貨保留部３７ａの上部にはシュート３７ｂが設置されている。ここで、後述する横方向搬送部３８からシュート３７ｂの上部に送られた硬貨は、当該シュート３７ｂ内を通過して硬貨保留部３７ａに送られるようになっている。硬貨保留部３７ａに一時的に保留された硬貨は、貨幣収納部４０内に配置された硬貨収納カセット４２（後述）に送られるようになっている。【００５８】
図３Ｂに示すように、硬貨処理装置３０の内部において、鉛直方向にそれぞれ延びる各リサイクル式硬貨収納部３４の近傍には、例えば略水平方向に延びる循環ベルト３８ａを有する横方向搬送部３８が設けられている。この循環ベルト３８ａは同じ高さレベルに設置された２つのプーリに掛けられており、一方のプーリが正逆両方向に回転駆動されることにより循環ベルト３８ａは図３Ｂの時計回りおよび反時計回りの両方に循環移動可能となっている。横方向搬送部３８の一端は硬貨繰出部３３内に位置しており、横方向搬送部３８の他端はシュート３７ｂの上部の近傍に位置している。前述のように、横方向搬送部３８の循環ベルト３８ａは正逆両方向に回転することができるようになっており、循環ベルト３８ａが図３Ｂにおける反時計回りに回転したときには、横方向搬送部３８上にある硬貨は硬貨繰出部３３に送られるようになっている。一方、循環ベルト３８ａが図３Ｂにおける時計回りに回転したときには、横方向搬送部３８上にある硬貨はシュート３７ｂに送られ、最終的には硬貨保留部３７ａで保留されることとなる。【００５９】
次に、貨幣処理機１０に設けられた他の様々な機構について説明する。図２に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。【００６０】
また、筐体１１の前面には、貨幣処理機１０における貨幣の処理内容等を印字するプリンタ４３、および操作者の操作権限の確認を行うためのカードリーダ４６がそれぞれ設けられている。【００６１】
また、図２等に示すように、貨幣処理機１０の筐体１１の下部には貨幣収納部４０が設けられている。この貨幣収納部４０は、紙幣を収納する紙幣収納カセット４１、および硬貨を収納する硬貨収納カセット４２を有している。紙幣収納カセット４１には、紙幣処理装置２０の紙幣保留部２９に保留された紙幣が収納されるようになっており、硬貨収納カセット４２には、硬貨処理装置３０の硬貨保留部３７ａに保留された硬貨が収納されるようになっている。そして、例えば売上金の回収業務を委託された警備会社の警備員等の収集特定者によって、貨幣収納部４０の各カセット４１、４２が筐体１１の前面側へ引き出され、この収集特定者が各カセット４１、４２自体を回収するようになっている。【００６２】
次に、貨幣処理機１０における各構成要素の制御を行う制御部１５について図４を用いて説明する。制御部１５は貨幣処理機１０の筐体１１内に設置されている。【００６３】
図４に示すように、制御部１５には、紙幣処理装置２０の各構成要素（例えば、搬送部２５、識別部２６、リサイクル式紙幣収納部２７、紙幣ステージ２８、紙幣保留部２９、扉２４等）、硬貨処理装置３０の各構成要素（例えば、硬貨繰出部３３、搬送部３５、識別部３５ａ、横方向搬送部３８、金種別硬貨一時保留部３９を含むリサイクル式硬貨収納部３４、硬貨保留部３７ａ等）、貨幣収納部４０、表示部４４、操作部４５、プリンタ４３、カードリーダ４６等が接続されている。また、制御部１５にはインターフェースを介してコントローラ１２が接続されている。【００６４】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。制御部１５は、貨幣処理機１０の操作が行われる際は操作部４５やカードリーダ４６から入力された操作者のＩＤ情報をもとに操作者の権限の確認を行う。なお、権限はカードに付された権限により確認してもよい。また、制御部１５は、紙幣処理装置２０や硬貨処理装置３０の各構成要素を制御したり、表示部４４、プリンタ４３を制御したりするようになっている。【００６５】
コントローラ１２は、貨幣処理機１０の紙幣処理装置２０、硬貨処理装置３０および貨幣収納部４０のそれぞれに対して信号の送受信を行うようになっている。このような信号の送受信は制御部１５を介して行われる。【００６６】
現金センター１３またはデータセンター１４は、コントローラ１２を介して、貨幣処理機１０に対して当該貨幣処理機１０の各種処理に係る指令の信号を送信するようになっている。具体的には、現金センター１３は貨幣処理機１０に対して、締めコマンド、引渡コマンド、警備回収コマンド、納金コマンド、出金コマンド、補充コマンド、精算コマンド、両替コマンド、逆両替コマンド、枚数計数コマンド、リセットコマンド、確定コマンド、スタートコマンド、ロック解除コマンド、およびプログラムダウンロードコマンドからなる群のうち少なくとも１つのコマンドに係る信号を送信するようになっている。これらの各コマンドの詳細については後述する。【００６７】
また、現金センター１３またはデータセンター１４は、コントローラ１２を介して、貨幣処理機１０から当該貨幣処理機１０における貨幣の処理状況に係る情報の信号を受信するようになっている。具体的には、データセンター１４は、締めデータ、引渡データ、警備回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を貨幣処理機１０から受信するようになっている。これらの各データの詳細については後述する。【００６８】
次に、このような構成からなる貨幣処理機１０の動作について説明する。【００６９】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。【００７０】
インターフェース確認モードとは、貨幣処理機１０の初期状態において、すなわち貨幣処理機１０が導入された際に、インターフェース１６により貨幣処理機１０が上位装置等に通信接続されるか否かを確認するためのモードである。このようなインターフェース確認モードにおいて、インターフェース１６により貨幣処理機１０が上位装置等に通信接続されたときには、上位装置等から貨幣処理機１０に様々な設定データが送られる。【００７１】
運用モードには、貨幣処理機１０が上位装置等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する補充処理、納金処理、出金処理、引渡処理、大量引渡処理、両替処理、逆両替処理、精査処理、計数処理等を行うことができる。また、この開店モードにおいては、例えば売上金の回収業務を委託された警備会社の警備員等の収集特定者によって、貨幣収納部４０の各カセット４１、４２自体の回収を行うこともできる。一方、閉店モードにおいては、収集特定者による貨幣収納部４０の各カセット４１、４２の回収のみしか行うことができない。なお、これらの開店モードおよび閉店モードの切り換えは、時間帯等による自動での切り替えも可能である。一方、オフラインモードにおいては、上位装置等に対する情報の伝達は行われず、納金処理等の処理結果は貨幣処理機１０内に設けられた記憶媒体（図示せず）に記憶されることとなる。上述の各モードの選択は、操作者が操作部４５により選択することができる。【００７２】
保守メンテナンスモードの際に、保守員が貨幣処理機１０の紙幣処理装置２０や硬貨処理装置３０の各構成要素の保守メンテナンスを行う。このような保守メンテナンスは、貨幣処理機１０が設置された現場で行ってもよく、貨幣処理機１０を工場等に持ち帰ってこの工場内で行ってもよい。【００７３】
上述した補充処理、納金処理、出金処理、引渡処理、大量引渡処理、両替処理、逆両替処理、精査処理、計数処理の各々の詳細について、図５乃至図２０を用いて以下に説明する。【００７４】
＜補充処理＞
まず、紙幣や硬貨の補充処理について説明する。ここで、紙幣や硬貨の補充処理とは、紙幣を金種別に紙幣処理装置２０の各リサイクル式紙幣収納部２７に補充したり、硬貨を金種別に硬貨処理装置３０の各リサイクル式硬貨収納部３４に補充したりする処理のことをいう。【００７５】
紙幣処理装置２０における紙幣の補充処理について図５Ａおよび図５Ｂを用いて説明する。操作者により操作部４５を介して紙幣の補充処理の指令が制御部１５に送られたときにおいて、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。図５Ａに示すように、識別部２６により正常な紙幣であると識別され、かつこの紙幣の金種に対応するリサイクル式紙幣収納部２７が満杯ではない場合には、この紙幣は搬送部２５により当該紙幣の金種に対応するリサイクル式紙幣収納部２７に送られる。一方、図５Ａに示すように、識別部２６により偽札等のリジェクト紙幣であると識別された場合には、この紙幣は搬送部２５により紙幣リジェクト口２２に送られる。また、識別部２６により識別された紙幣の金種に対応するリサイクル式紙幣収納部２７が満杯であった場合には、この紙幣は紙幣保留部２９に送られる。そして、扉２４が自動的に開くことにより紙幣保留部２９に保留されたオーバーフロー紙幣が操作者により取り出されることになる。なお、識別部２６により識別された紙幣の金種に対応するリサイクル式紙幣収納部２７が満杯であった場合に、この紙幣が搬送部２５により紙幣リジェクト口２２に送られるようになっていてもよい。図５Ａに示すような紙幣の処理が行われる際に、識別部２６により紙幣の計数が行われる。【００７６】
上述のような紙幣の処理が行われた後、操作者が操作部４５における「取消キー」を押し、補充取消処理の指令を制御部１５に送ったときには、図５Ｂに示すように、各リサイクル式紙幣収納部２７に収納された紙幣は搬送部２５により識別部２６を経て紙幣リジェクト口２２に送られる。【００７７】
次に、硬貨処理装置３０における硬貨の補充処理について図６Ａおよび図６Ｂを用いて説明する。操作者により操作部４５を介して硬貨の補充処理の指令が制御部１５に送られたときにおいて、操作者が硬貨処理装置３０の硬貨投入口３１に硬貨を投入したときには、図６Ａに示すように、硬貨投入口３１に投入された硬貨はまず硬貨繰出部３３に送られ、この硬貨繰出部３３から硬貨が１枚ずつ搬送部３５に繰り出される。搬送部３５に送られた硬貨は識別部３５ａにおいて識別が行われる。識別部３５ａにより正常な硬貨であると識別された硬貨は金種別硬貨一時保留部３９に保留される。ここで、金種別硬貨一時保留部３９の容量を超えた硬貨については、オーバーフロー用の選別孔（搬送部３５における最も上流側にある選別孔）３６から横方向搬送部３８へ送られる。そして、金種別硬貨一時保留部３９に保留された硬貨が各リサイクル式硬貨収納部３４へ収納されると、横方向搬送部３８上の硬貨は硬貨繰出部３３へ送られて、再び繰り出しおよび識別が行われ、各金種別の選別孔３６から落下して金種別硬貨一時保留部３９に保留され、各リサイクル式硬貨収納部３４へ収納される。一方、図６Ａに示すように、識別部３５ａにより識別不能な硬貨等のリジェクト硬貨であると識別された硬貨は、搬送部３５により硬貨返却口３２に送られる。図６Ａに示すような硬貨の処理が行われる際に、識別部３５ａにより硬貨の計数が行われる。【００７８】
上述のような硬貨の処理が行われた後、操作者が操作部４５における「取消キー」を押し、補充取消処理の指令を制御部１５に送ったときには、図６Ｂに示すように、各リサイクル式硬貨収納部３４に収納された硬貨は金種別硬貨一時保留部３９に送られ、この金種別硬貨一時保留部３９から横方向搬送部３８により硬貨繰出部３３に送られ、この硬貨は硬貨繰出部３３から搬送部３５を経て硬貨返却口３２に送られる。【００７９】
＜納金処理＞
納金処理には、引渡連動形態のものと引渡非連動形態のものがある。引渡連動形態における納金処理とは、貨幣処理機１０に対して貨幣の納金を行い、そのまま引渡が連続して実行されるモードのことをいう。具体的には、紙幣はリサイクル式紙幣収納部２７に一時保留し、その後、紙幣保留部２９に保留し、最後に紙幣収納カセット４１に収納させる。また、硬貨は金種別硬貨一時保留部３９に保留し、その後、硬貨保留部３７ａに保留し、最後に硬貨収納カセット４２に収納させる。一方、引渡非連動形態における納金処理は、単に貨幣処理機に対して貨幣の納金のみが行われるモードのことをいう。その後、貨幣収納部４０へ貨幣の引き渡しを行いたければ、独立して引渡処理を行うこととなる。なお、引渡連動形態および引渡非連動形態は、貨幣処理機１０の設置時に設定されるようになっている。【００８０】
紙幣処理装置２０における紙幣の納金処理について図７Ａ〜図７Ｅを用いて説明する。ここで、紙幣処理装置２０における紙幣の納金処理としては、前述のように、引渡処理と連動させる引渡連動形態、および引渡処理と連動させない引渡非連動形態の２種類の形態がある。【００８１】
操作者により操作部４５を介して紙幣の納金処理の指令が制御部１５に送られたときにおいて、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。図７Ａに示すように、識別部２６により正常な紙幣であると識別され、かつこの紙幣の金種に対応するリサイクル式紙幣収納部２７が満杯ではない場合には、この紙幣は搬送部２５により当該紙幣の金種に対応するリサイクル式紙幣収納部２７に送られる。一方、図７Ａに示すように、識別部２６により損券や偽札等のリジェクト紙幣であると識別された場合は、この紙幣は搬送部２５により紙幣リジェクト口２２に送られる。【００８２】
また、予め引渡連動形態が設定されていたときには、識別部２６により識別された紙幣の金種に対応するリサイクル式紙幣収納部２７が満杯であった場合において、図７Ａに示すように、この紙幣は搬送部２５により紙幣保留部２９に送られる。一方、予め引渡非連動形態が設定されていたときにも、識別部２６により識別された紙幣の金種に対応するリサイクル式紙幣収納部２７が満杯であった場合には、この紙幣は紙幣保留部２９に送られる。そして、扉２４が自動的に開くことにより紙幣保留部２９に保留されたオーバーフロー紙幣が操作者により取り出されることになる。なお、識別部２６により識別された紙幣の金種に対応するリサイクル式紙幣収納部２７が満杯であった場合に、この紙幣が搬送部２５により紙幣リジェクト口２２に送られるようになっていてもよい。【００８３】
上述のような紙幣の処理が行われる際に、引渡連動形態および引渡非連動形態のどちらの形態の場合であっても、識別部２６により紙幣の計数が行われる。【００８４】
上述のような紙幣の処理が行われた後、操作者が操作部４５における「取消キー」を押し、納金取消処理の指令を制御部１５に送ったときには、図７Ｂに示すように、各リサイクル式紙幣収納部２７に収納された紙幣は搬送部２５により識別部２６を経て紙幣リジェクト口２２に送られる。また、この際に、扉２４が自動的に開くことにより紙幣保留部２９に保留された紙幣が操作者により取り出されることとなる。【００８５】
ここで、引渡連動形態が設定されていた場合には、上述のような紙幣の処理が行われた後、図７Ｃに示すように、各リサイクル式紙幣収納部２７に収納された紙幣は搬送部２５により識別部２６を経て紙幣保留部２９に送られる。この際に、識別部２６により紙幣の計数が行われる。さらに、図７Ｄに示すように、紙幣保留部２９に保留された紙幣は、貨幣収納部４０の紙幣収納カセット４１に送られる。【００８６】
なお、上述のような紙幣の納金処理が行われた後、釣銭計数処理が行われる場合がある。釣銭計数処理とは、納金時に釣銭がある場合に、釣銭を出金する処理のことをいう。具体的には、顧客から預かった金を操作者が貨幣処理機１０に納金したときに、釣銭がある場合には納金額から品物の価格を差し引いた釣銭分の貨幣を払い出すこととなる。この際の釣銭の貨幣処理機１０からの出金処理のことを釣銭計数処理という。さらに詳細には、図７Ｅに示すように、各リサイクル式紙幣収納部２７に収納された紙幣が搬送部２５により識別部２６を経て紙幣リジェクト口２２に送られる。【００８７】
次に、硬貨処理装置３０における硬貨の納金処理について図８Ａ乃至図８Ｆを用いて説明する。操作者により操作部４５を介して硬貨の納金処理の指令が制御部１５に送られたときにおいて、操作者が硬貨処理装置３０の硬貨投入口３１に硬貨を投入したときには、硬貨投入口３１に投入された硬貨はまず硬貨繰出部３３に送られ、この硬貨繰出部３３から硬貨が１枚ずつ搬送部３５に繰り出される。搬送部３５に送られた硬貨は識別部３５ａにおいて識別が行われる。図８Ａに示すように、識別部３５ａにより正常な硬貨であると識別された硬貨は金種別硬貨一時保留部３９に保留される。ここで、金種別硬貨一時保留部３９の容量を超えた硬貨については、オーバーフロー用の選別孔（搬送部３５における最も上流側にある選別孔）３６から横方向搬送部３８へ送られる。そして、金種別硬貨一時保留部３９に保留された硬貨が各リサイクル式硬貨収納部３４へ収納されると、横方向搬送部３８上の硬貨は硬貨繰出部３３へ送られて、再び繰り出しおよび識別が行われ、各金種別の選別孔３６から金種別硬貨一時保留部３９に保留される。一方、図８Ａに示すように、識別部３５ａにより識別不能な硬貨等のリジェクト硬貨であると識別された硬貨は、搬送部３５により硬貨返却口３２に送られる。図８Ａに示すような硬貨の処理が行われる際に、識別部３５ａにより硬貨の計数が行われる。【００８８】
上述のような硬貨の処理が行われた後、操作者が操作部４５における「確定キー」を押し、納金確定処理の指令を制御部１５に送ったときには、図８Ｄに示すように、金種別硬貨一時保留部３９に保留された硬貨はこの金種別硬貨一時保留部３９から各リサイクル式硬貨収納部３４内に収納される。【００８９】
一方、上述のような硬貨の処理が行われた後、操作者が操作部４５における「取消キー」を押し、納金取消処理の指令を制御部１５に送ったときには、図８Ｂに示すように、まず横方向搬送部３８上にある硬貨が硬貨繰出部３３に送られ、この硬貨繰出部３３から搬送部３５を経て硬貨返却口３２に送られる。その後、図８Ｃに示すように、金種別硬貨一時保留部３９に保留された硬貨はこの金種別硬貨一時保留部３９から横方向搬送部３８上に送られ、この硬貨は横方向搬送部３８により硬貨繰出部３３に送られ、この硬貨繰出部３３から搬送部３５を経て硬貨返却口３２に送られる。【００９０】
ここで、硬貨のある金種に対応するリサイクル式硬貨収納部３４が満杯であった場合には、図８Ｅに示すように、金種別硬貨一時保留部３９に保留された当該金種の硬貨はこの金種別硬貨一時保留部３９から解放されて横方向搬送部３８上に落下し、この硬貨は横方向搬送部３８によりシュート３７ｂに送られ、この硬貨はシュート３７ｂから硬貨保留部３７ａに送られる。【００９１】
上述のような紙幣の納金処理が行われた後、納金時に釣銭がある場合には、釣銭計数処理が行われる。具体的には、顧客から預かった金を操作者が貨幣処理機１０に納金したときに、釣銭がある場合には納金額から品物の価格を差し引いた釣銭分の貨幣を払い出す。さらに詳細には、金種別硬貨一時保留部３９に保留された硬貨はリサイクル式硬貨収納部３４に収納され、その後、図８Ｆに示すように、釣銭金額分の硬貨がリサイクル式硬貨収納部３４から金種別硬貨一時保留部３９に送られ、この金種別硬貨一時保留部３９から横方向搬送部３８、硬貨繰出部３３、搬送部３５を経て硬貨返却口３２に送られる。【００９２】
＜出金処理＞
次に、紙幣や硬貨の出金処理について説明する。ここで、紙幣や硬貨の出金処理とは、紙幣処理装置２０の各リサイクル式紙幣収納部２７に収納された紙幣を当該紙幣処理装置２０の外部に出したり、硬貨処理装置３０の各リサイクル式硬貨収納部３４に収納された硬貨を当該硬貨処理装置３０の外部に出したりする処理のことをいう。【００９３】
紙幣処理装置２０における紙幣の出金処理について図９を用いて説明する。紙幣処理装置２０のリサイクル式紙幣収納部２７に紙幣が収納された状態で、操作者により操作部４５を介して紙幣の出金処理の指令が制御部１５に送られたときには、図９に示すように、各リサイクル式紙幣収納部２７に収納された紙幣は搬送部２５により識別部２６を経て紙幣リジェクト口２２に送られる。なお、前述のように、この紙幣リジェクト口２２は釣銭等を出金するための出金口も兼ねている。図９に示すような紙幣の出金処理が行われる際に、識別部２６により紙幣の計数が行われる。【００９４】
次に、硬貨処理装置３０における硬貨の出金処理について図１０を用いて説明する。硬貨処理装置３０のリサイクル式硬貨収納部３４に硬貨が収納された状態で、操作者により操作部４５を介して硬貨の出金処理の指令が制御部１５に送られたときには、図１０に示すように、リサイクル式硬貨収納部３４から金種別硬貨一時保留部３９に硬貨が送られ、この金種別硬貨一時保留部３９から横方向搬送部３８、硬貨繰出部３３、搬送部３５を経て硬貨返却口３２に送られる。なお、硬貨返却口３２は、硬貨の出金口も兼ねている。この際に、識別部３５ａにより硬貨の計数が行われる。【００９５】
＜引渡処理＞
次に、紙幣や硬貨の引渡処理について説明する。
紙幣処理装置２０における紙幣の引渡処理について図１１Ａおよび図１１Ｂを用いて説明する。ここで、納金処理の引渡連動態様の場合には、操作者が何も操作しなくても、納金されたリサイクル式紙幣収納部２７の紙幣は紙幣保留部２９に送られて保留される（図１１Ａ参照）。そして、操作部４５における「確定キー」を押すことにより、紙幣保留部２９に保留された紙幣は紙幣収納カセット４１に収納され、引渡処理がなされたことになる（図１１Ｂ参照）。一方、納金の引渡非連動態様の場合には、所定金額（例えば、釣銭としてリサイクル式紙幣収納部２７へ残したい額を差し引いた額）だけリサイクル式紙幣収納部２７から紙幣が紙幣保留部２９に送られて保留される（図１１Ａ参照）。そして、操作部４５における「確定キー」を押すことにより、紙幣保留部２９に保留された紙幣は紙幣収納カセット４１に収納され、引渡処理がなされたことになる（図１１Ｂ参照）。前述のように、これらの引渡連動態様および引渡非連動態様は予め設定されたものである。【００９６】
硬貨処理装置３０における硬貨の引渡処理について図１２Ａおよび図１２Ｂを用いて説明する。ここで、納金処理の引渡連動態様の場合には、操作者が何も操作しなくても、納金されたリサイクル式硬貨収納部３４の硬貨は金種別硬貨一時保留部３９に送られ、この金種別硬貨一時保留部３９から硬貨が横方向搬送部３８に送られ（図１２Ａ参照）、この横方向搬送部３８からシュート３７ｂを介して硬貨保留部３７ａで保留され、操作部４５における「確定キー」を押すことにより、硬貨収納カセット４２に収納され、引渡処理がなされたことになる（図１２Ｂ参照）。一方、納金の引渡非連動態様の場合には、所定金額（例えば、釣銭としてリサイクル式硬貨収納部３４へ残したい額を差し引いた額）だけリサイクル式硬貨収納部３４から硬貨が金種別硬貨一時保留部３９に送られて保留される。そして、この金種別硬貨一時保留部３９から硬貨が横方向搬送部３８に送られ（図１２Ａ参照）、この横方向搬送部３８からシュート３７ｂを介して硬貨保留部３７ａで保留され、操作部４５における「確定キー」を押すことにより、硬貨収納カセット４２に収納され、引渡処理がなされたことになる（図１２Ｂ参照）。前述のように、これらの引渡連動態様および引渡非連動態様は予め設定されたものである。【００９７】
＜大量引渡処理＞
次に、紙幣や硬貨の大量引渡処理について説明する。ここで、紙幣や硬貨の大量引渡処理とは、大量の紙幣を貨幣収納部４０の紙幣収納カセット４１内に引渡したり、大量の硬貨を貨幣収納部４０の硬貨収納カセット４２内に引渡したりする処理のことをいう。【００９８】
紙幣処理装置２０における紙幣の大量引渡処理について図１３Ａ〜図１３Ｃを用いて説明する。操作者により操作部４５を介して紙幣の大量引渡処理の指令が制御部１５に送られたときにおいて、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。図１３Ａに示すように、識別部２６により正常な紙幣であると識別された場合は、この紙幣は搬送部２５により紙幣保留部２９に送られる。一方、図１３Ａに示すように、識別部２６により損券や偽札等のリジェクト紙幣であると識別された場合は、この紙幣は搬送部２５により紙幣リジェクト口２２に送られる。図１３Ａに示すような紙幣の処理が行われる際に、識別部２６により紙幣の計数が行われる。【００９９】
上述のような紙幣の処理が行われた後、操作者が操作部４５における「確定キー」を押した場合には、図１３Ｃに示すように、紙幣保留部２９に保留された紙幣は、貨幣収納部４０の紙幣収納カセット４１に送られる。【０１００】
一方、上述のような紙幣の処理が行われた後、操作者が操作部４５における「取消キー」を押し、納金取消処理の指令を制御部１５に送ったときには、図１３Ｂに示すように、扉２４が自動的に開くことにより紙幣保留部２９に保留された紙幣が操作者により取り出されることとなる。【０１０１】
次に、硬貨処理装置３０における硬貨の大量引渡処理について図１４Ａ乃至図１４Ｃを用いて説明する。操作者により操作部４５を介して硬貨の大量引渡処理の指令が制御部１５に送られたときにおいて、操作者が硬貨処理装置３０の硬貨投入口３１に硬貨を投入したときには、硬貨投入口３１に投入された硬貨はまず硬貨繰出部３３に送られ、この硬貨繰出部３３から硬貨が１枚ずつ搬送部３５に繰り出される。搬送部３５に送られた硬貨は識別部３５ａにおいて識別が行われる。図１４Ａに示すように、識別部３５ａにより正常な硬貨であると識別された場合は、この硬貨は搬送部３５も最も上流側に設けられた選別孔３６を介して横方向搬送部３８上に送られる。一方、図１４Ａに示すように、識別部３５ａにより識別不能な硬貨等のリジェクト硬貨であると識別された硬貨は、搬送部３５により硬貨返却口３２に送られる。図１４Ａに示すような硬貨の処理が行われる際に、識別部３５ａにより硬貨の計数が行われる。【０１０２】
上述のような硬貨の処理が行われた後、操作者が操作部４５における「確定キー」を押したときには、図１４Ｃに示すように、横方向搬送部３８上にある硬貨は当該横方向搬送部３８によりシュート３７ｂに送られ、この硬貨はシュート３７ｂから硬貨保留部３７ａに送られる。硬貨保留部３７ａに送られた硬貨は、最終的には貨幣収納部４０の硬貨収納カセット４２に送られる。【０１０３】
一方、上述のような硬貨の処理が行われた後、操作者が操作部４５における「取消キー」を押し、納金取消処理の指令を制御部１５に送ったときには、図１４Ｂに示すように、横方向搬送部３８上にある硬貨が硬貨繰出部３３に送られ、この硬貨は硬貨繰出部３３から搬送部３５を経て硬貨返却口３２に送られる。【０１０４】
＜両替処理、逆両替処理＞
次に、紙幣や硬貨の両替処理および逆両替処理について説明する。ここで、紙幣や硬貨の両替処理および逆両替処理とは、紙幣や硬貨を紙幣処理装置２０内や硬貨処理装置３０内に取り込み、合計金額は同じであるが紙幣処理装置２０内や硬貨処理装置３０内に取り込んだ紙幣や硬貨の金種とは異なる金種の紙幣や硬貨を紙幣処理装置２０や硬貨処理装置３０の外部に戻すような処理のことをいう。【０１０５】
紙幣処理装置２０における紙幣の両替処理および逆両替処理について図１５Ａ乃至図１５Ｃを用いて説明する。操作者により操作部４５を介して紙幣の両替処理または逆両替処理の指令が制御部１５に送られたときにおいて、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。図１５Ａに示すように、識別部２６により正常な紙幣であると識別され、かつこの紙幣の金種に対応するリサイクル式紙幣収納部２７が満杯ではない場合には、この紙幣は搬送部２５により当該紙幣の金種に対応するリサイクル式紙幣収納部２７に送られる。一方、図１５Ａに示すように、識別部２６により偽札等のリジェクト紙幣であると識別された場合には、この紙幣は搬送部２５により紙幣リジェクト口２２に送られる。また、識別部２６により識別された紙幣の金種に対応するリサイクル式紙幣収納部２７が満杯であった場合にも、この紙幣は搬送部２５により紙幣リジェクト口２２に送られる。図１５Ａに示すような紙幣の処理が行われる際に、識別部２６により紙幣の計数が行われる。【０１０６】
そして、上述のような紙幣の処理が行われた後、自動的に、各リサイクル式紙幣収納部２７に収納された様々な金種の紙幣のうち、紙幣処理装置２０内に取り込まれた紙幣の金種とは異なる金種の紙幣が、紙幣処理装置２０内に取り込まれた紙幣の合計金額と同一の合計金額となるような枚数分だけ搬送部２５により識別部２６を経て紙幣リジェクト口２２に送られる（図１５Ｂ参照）。この際に、識別部２６により紙幣の計数が行われる。このことにより、紙幣処理装置２０内に取り込まれた紙幣の合計金額と、紙幣処理装置２０から外部に戻される紙幣の合計金額とが一致するか否かの確認が行われる。【０１０７】
なお、上述のような紙幣の処理が行われる途中に、操作者が操作部４５における「取消キー」を押し、両替または逆両替の中止の指令を制御部１５に送ったときには、図１５Ｃに示すように、各リサイクル式紙幣収納部２７に収納された紙幣は搬送部２５により識別部２６を経て紙幣リジェクト口２２に送られる。【０１０８】
次に、硬貨処理装置３０における硬貨の両替処理および逆両替処理について図１６Ａ乃至図１６Ｃを用いて説明する。操作者により操作部４５を介して硬貨の両替処理または逆両替処理の指令が制御部１５に送られたときにおいて、操作者が硬貨処理装置３０の硬貨投入口３１に硬貨を投入したときには、硬貨投入口３１に投入された硬貨はまず硬貨繰出部３３に送られ、この硬貨繰出部３３から硬貨が１枚ずつ搬送部３５に繰り出される。搬送部３５に送られた硬貨は識別部３５ａにおいて識別が行われる。図１６Ａに示すように、識別部３５ａにより正常な硬貨であると識別された硬貨は金種別硬貨一時保留部３９に保留される。ここで、金種別硬貨一時保留部３９の容量を超えた硬貨については、オーバーフロー用の選別孔（搬送部３５における最も上流側にある選別孔）３６から横方向搬送部３８へ送られる。そして、金種別硬貨一時保留部３９に保留された硬貨が各リサイクル式硬貨収納部３４へ収納されると、横方向搬送部３８上の硬貨は硬貨繰出部３３へ送られて、再び繰り出しおよび識別が行われ、各金種別の選別孔３６から金種別硬貨一時保留部３９に保留され、各リサイクル式硬貨収納部３４へ収納される。一方、図１６Ａに示すように、識別部３５ａにより識別不能な硬貨等のリジェクト硬貨であると識別された硬貨は、搬送部３５により硬貨返却口３２に送られる。図１６Ａに示すような硬貨の処理が行われる際に、識別部３５ａにより硬貨の計数が行われる。【０１０９】
上述のような硬貨の処理が行われた後、自動的に、図１６Ｂに示すように、リサイクル式硬貨収納部３４に収納された様々な金種の硬貨のうち、硬貨処理装置３０内に取り込まれた硬貨の金種とは異なる金種の硬貨が、硬貨処理装置３０内に取り込まれた硬貨の合計金額と同一の合計金額となるような枚数分だけ、金種別硬貨一時保留部３９に送られ、この金種別硬貨一時保留部３９から横方向搬送部３８上に落下し、この硬貨は横方向搬送部３８により硬貨繰出部３３に送られ、この硬貨繰出部３３から搬送部３５を経て硬貨返却口３２に送られる。この際に、識別部３５ａにより硬貨の計数が行われる。このことにより、硬貨処理装置３０内に取り込まれた硬貨の合計金額と、硬貨処理装置３０から外部に戻される硬貨の合計金額とが一致するか否かの確認が行われる。【０１１０】
一方、上述のような硬貨の処理が行われる途中に、操作者が操作部４５における「取消キー」を押し、両替や逆両替の取消の指令を制御部１５に送ったときには、図１６Ｃに示すように、リサイクル式硬貨収納部３４に収納された硬貨は金種別硬貨一時保留部３９に送られ、この金種別硬貨一時保留部３９から横方向搬送部３８上に落下し、この硬貨は横方向搬送部３８により硬貨繰出部３３に送られ、この硬貨繰出部３３から搬送部３５を経て硬貨返却口３２に送られる。【０１１１】
なお、上述のような紙幣や硬貨の両替処理および逆両替処理において、両替または逆両替により得られるべき貨幣の金種を選択することができるようにすることも可能である。具体的には、操作者が操作部４５により金種を選択した場合には、この選択された金種に係る貨幣が紙幣リジェクト口２２や硬貨返却口３２に送られることとなる。【０１１２】
＜精査処理＞
次に、紙幣や硬貨の精査処理について説明する。ここで、紙幣の精査処理とは、紙幣処理装置２０内にある紙幣を計数し、紙幣リジェクト口２２に出して枚数や金額を確認した後、再度入金させるような処理のことをいう。また、硬貨の精査処理とは、硬貨処理装置３０内にある硬貨を計数し、硬貨返却口３２に出して枚数や金額を確認した後、再度入金させるような通常の精査処理方法と、各リサイクル式硬貨収納部３４にある硬貨を横方向搬送部３８上へ送り、硬貨繰出部３３により繰り出して搬送部３５で搬送し、金種別硬貨一時保留部３９から各リサイクル式硬貨収納部３４に戻すようにした自動精査処理方法の２つの方法がある。ここで、硬貨の精査処理において、前者の方法を行うか後者の方法を行うかは、操作者が表示部４４を見ながら操作部４５により選択することができるようになっている。【０１１３】
紙幣処理装置２０における紙幣の精査処理について図１７を用いて説明する。紙幣処理装置２０のリサイクル式紙幣収納部２７に紙幣が収納された状態で、操作者により操作部４５を介して紙幣の精査処理の指令が制御部１５に送られたときには、図１７に示すように、各リサイクル式紙幣収納部２７に収納された全ての紙幣は搬送部２５により識別部２６を経て紙幣リジェクト口２２に送られる。図１７に示すような紙幣の処理が行われる際に、識別部２６により紙幣の計数が行われる。そして、紙幣リジェクト口２２に送られた紙幣は、操作者により枚数や金額が確認され、その後紙幣投入口２１により紙幣処理装置２０内に投入され、各リサイクル式紙幣収納部２７に収納される。【０１１４】
次に、硬貨処理装置３０における硬貨の精査処理について図１８Ａおよび図１８Ｂを用いて説明する。ここで、図１８Ａは、通常の精査処理方法を示し、図１８Ｂは、自動精査処理方法を示す。まず、通常の精査処理方法について説明する。操作者により操作部４５を介して硬貨の通常の精査処理の指令が制御部１５に送られたときには、各リサイクル式硬貨収納部３４に収納された硬貨は金種別硬貨一時保留部３９に送られ、横方向搬送部３８、硬貨繰出部３３、搬送部３５を経てこの硬貨は硬貨返却口３２に送られる。図１８Ａに示すような硬貨の処理が行われる際に、識別部３５ａにより硬貨の計数が行われる。そして、硬貨返却口３２に送られた硬貨は、操作者により枚数や金額が確認され、その後硬貨投入口３１により硬貨処理装置３０内に投入され、金種別硬貨一時保留部３９から各リサイクル式硬貨収納部３４に収納される。【０１１５】
次に、自動精査処理方法について説明する。操作者により操作部４５を介して硬貨の自動精査処理の指令が制御部１５に送られたときには、図１８Ｂに示すように、各リサイクル式硬貨収納部３４に収納された硬貨は金種別硬貨一時保留部３９に送られ、この金種別硬貨一時保留部３９から硬貨は横方向搬送部３８上に送られ、硬貨繰出部３３に送られる。この硬貨は硬貨繰出部３３から搬送部３５に繰り出され、搬送部３５に送られた硬貨は識別部３５ａにおいて識別が行われ、識別部３５ａにより識別が行われた硬貨は搬送部３５に設けられた各選別孔３６を介して金種別硬貨一時保留部３９に送られ、最終的には各リサイクル式硬貨収納部３４に収納される。このように、図１８Ｂに示すような硬貨の自動精査処理においては、硬貨処理装置３０内で硬貨が循環移動し、この際に識別部３５ａにより硬貨の計数が行われる。【０１１６】
なお、硬貨処理装置３０における硬貨の精査処理として、自動精査処理方法を用いることができることを上文中に説明したが、紙幣処理装置として、図１７に示すような構成のものを用いる代わりに、リサイクル式紙幣収納部から出された紙幣を退避させておく領域が追加的に設けられたものを用いれば、紙幣処理装置における紙幣の精査処理でも自動精査処理方法を用いることができる。【０１１７】
＜計数処理＞
次に、紙幣や硬貨の計数処理について説明する。ここで、紙幣や硬貨の計数処理とは、手元にある紙幣や硬貨がいくらあるかを計数する処理である。具体的には、紙幣の計数処理とは、紙幣処理装置２０内に紙幣を送り、正常な紙幣については紙幣保留部２９で一時保留し、異常な紙幣については紙幣リジェクト口２２に送ってリジェクトし、この際に紙幣の計数を行い、最終的に扉２４が自動的に開いて紙幣保留部２９にある紙幣が操作者により取り出されるような処理のことをいう。一方、硬貨の計数処理とは、硬貨処理装置３０内に硬貨を送り、正常な硬貨についてはオーバーフロー用の選別孔３６を通って横方向搬送部３８に送られ、異常な硬貨については硬貨返却口３２に送られ、このリジェクト硬貨を取り除いてから、横方向搬送部３８に送られた硬貨を硬貨繰出部３３、搬送部３５を介して硬貨返却口３２に送ってこの硬貨返却口３２にある硬貨が操作者により取り出されるような処理のことをいう。【０１１８】
紙幣処理装置２０における紙幣の計数処理について図１９Ａおよび図１９Ｂを用いて説明する。操作者により操作部４５を介して紙幣の計数処理の指令が制御部１５に送られたときにおいて、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。図１９Ａに示すように、識別部２６により正常な紙幣であると識別された場合には、この紙幣は搬送部２５により紙幣保留部２９に送られる。一方、図１９Ａに示すように、識別部２６により損券や偽札等のリジェクト紙幣であると識別された場合は、この紙幣は搬送部２５により紙幣リジェクト口２２に送られる。図１９Ａに示すような紙幣の処理が行われる際に、識別部２６により紙幣の計数が行われる。【０１１９】
上述のような紙幣の処理が行われた後、扉２４が自動的に開き、図１９Ｂに示すように、操作者は紙幣保留部２９に保留された紙幣を取り出すことができるようになる。【０１２０】
次に、硬貨処理装置３０における硬貨の計数処理について図２０Ａおよび図２０Ｂを用いて説明する。操作者により操作部４５を介して硬貨の計数処理の指令が制御部１５に送られたときにおいて、操作者が硬貨処理装置３０の硬貨投入口３１に硬貨を投入したときには、硬貨投入口３１に投入された硬貨はまず硬貨繰出部３３に送られ、この硬貨繰出部３３から硬貨が１枚ずつ搬送部３５に繰り出される。搬送部３５に送られた硬貨は識別部３５ａにおいて識別が行われる。図２０Ａに示すように、識別部３５ａにより正常な硬貨であると識別された場合は、この硬貨は搬送部３５における最も上流側に設けられた選別孔３６（オーバーフロー用の選別孔３６）を介して横方向搬送部３８上に送られる。一方、図２０Ａに示すように、識別部３５ａにより識別不能な硬貨等のリジェクト硬貨であると識別された硬貨は、搬送部３５により硬貨返却口３２に送られる。図２０Ａに示すような硬貨の処理が行われる際に、識別部３５ａにより硬貨の計数が行われる。【０１２１】
上述のような硬貨の処理が行われた後、硬貨返却口３２にある硬貨が操作者により取り除かれると、図２０Ｂに示すように、まず横方向搬送部３８上にある硬貨が硬貨繰出部３３に送られ、この硬貨は硬貨繰出部３３から搬送部３５を経て硬貨返却口３２に送られる。操作者は、この硬貨返却口３２から硬貨を取り出すことができるようになる。【０１２２】
なお、図３Ｂに示すような構成を有する硬貨処理装置３０においては、硬貨返却口３２が硬貨の出金口とリジェクト口とを兼ねているため、リジェクト硬貨がまず硬貨返却口３２に送られ、その後、このリジェクト硬貨が操作者により取り除かれた後に横方向搬送部３８上にある硬貨が硬貨返却口３２に送られるようになっている。これに対し、硬貨処理装置に硬貨の出金口とリジェクト口とを別々に設けた場合には、正常な硬貨を出金口に送るとともにリジェクト硬貨をリジェクト口に搬送することができるようになり、硬貨の計数処理をより迅速に行うことができるようになる。【０１２３】
＜締め処理＞
次に、締め処理について説明する。操作者により操作部４５を介して締め処理の指令がなされると、前回の締め処理から今回の締め処理までの間に、引渡処理によって紙幣収納カセット４１に収納された紙幣および硬貨収納カセット４２に収納された硬貨の金種別枚数または合計金額もしくは金種別金額のデータである締めデータを中央制御装置に送信する。【０１２４】
＜警備回収処理＞
次に、警備回収処理について説明する。操作者により操作部４５を介して警備回収処理の指令が制御部１５に送られたとき、制御部１５は貨幣収納部４０の扉のロックを解除し、紙幣収納カセット４１と硬貨収納カセット４２とを取り出し可能とする。収集特定者側の警備員等が、各カセットを取り出して代わりのカセットと交換して扉を閉じると、回収された紙幣や硬貨の金種別枚数または合計金額もしくは金種別金額のデータである警備回収データを中央制御装置に送信する。【０１２５】
以上の各処理は、納金処理の引渡連動態様の引渡処理を除き、操作部４５を操作して各処理を選択する等の必要な入力を行い、スタートキーを押下することにより開始される。また、補充処理、納金処理においては、取消キーが押下できるタイミングで確定キーを押下すると、処理が確定して終了する。【０１２６】
而して、前述のように、現金センター１３またはデータセンター１４は貨幣処理機１０に対して、締めコマンド、引渡コマンド、警備回収コマンド、納金コマンド、出金コマンド、補充コマンド、精算コマンド、両替コマンド、逆両替コマンド、枚数計数コマンド、リセットコマンド、確定コマンド、スタートコマンド、ロック解除コマンド、およびプログラムダウンロードコマンドからなる群のうち少なくとも１つのコマンドに係る信号を送信するようになっている。これらのコマンドは、上述の各処理における操作部４５の操作に代わるものである。【０１２７】
ここで、「締めコマンド」とは、上述のような締め処理を貨幣処理機１０に行わせる指令のことをいい、「引渡コマンド」とは、上述のような引渡処理を貨幣処理機１０に行わせる指令のことをいい、「警備回収コマンド」とは、上述のような警備回収処理を紙幣処理機１０に行わせる指令のことをいう。【０１２８】
また、「納金コマンド」とは、上述のような納金処理を貨幣処理機１０に行わせる指令のことをいい、「出金コマンド」とは、上述のような出金処理を貨幣処理機１０に行わせる指令のことをいい、「補充コマンド」とは、上述のような補充処理を貨幣処理機１０に行わせる指令のことをいう。また、「精算コマンド」とは、上述のような精算処理を貨幣処理機１０に行わせる指令のことをいう。【０１２９】
また、「両替コマンド」とは、上述のような両替処理を貨幣処理機１０に行わせる指令のことをいい、「逆両替コマンド」とは、上述のような逆両替処理を貨幣処理機１０に行わせる指令のことをいい、「枚数計数コマンド」とは、上述のような計数処理を貨幣処理機１０に行わせる指令のことをいう。また、「リセットコマンド」とは、貨幣処理機１０に対して操作部４５のリセットキーを押すのと同等の効果の動作を行わせる指令のことをいい、「確定コマンド」とは、貨幣処理機１０に対して操作部４５の確定キーを押すのと同等の効果の動作を行わせる指令のことをいう。また、「スタートコマンド」とは、貨幣処理機１０に対して操作部４５のスタートキーを押すのと同等の効果の動作を行わせる指令のことをいい、「ロック解除コマンド」とは、貨幣処理機１０のロック状態を解除させる指令のことをいい、「プログラムダウンロードコマンド」とは、現金センター１３またはデータセンター１４の記憶装置に記憶されたプログラムを制御部１５にダウンロードさせる指令のことをいう。このように、現金センター１３またはデータセンター１４から貨幣処理機１０を遠隔操作できることにより、店舗内に権限のある操作者が常駐しておらずとも、入出金システムを運用することができる。【０１３０】
また、貨幣処理機１０から現金センター１３またはデータセンター１４に、締めデータ、引渡データ、警備回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を送信するようになっている。【０１３１】
ここで、「締めデータ」とは、前回の締め処理から今回の締め処理の間における、貨幣処理機１０における引渡処理により貨幣処理機１０の貨幣収納部４０に収納された紙幣や硬貨の金種毎の数量等の情報のことをいい、「引渡データ」とは、貨幣処理機１０における引渡処理により紙幣処理装置２０や硬貨処理装置３０から貨幣収納部４０に引き渡された紙幣や硬貨の金種毎の数量等の情報のことをいい、「警備回収データ」とは、収集特定者が貨幣収納部４０から回収した紙幣収納カセット４１や硬貨収納カセット４２内にある紙幣や硬貨の金種毎の数量等の情報のことをいう。【０１３２】
また、「リサイクル式貨幣収納部在高データ」とは、紙幣処理装置２０のリサイクル式紙幣収納部２７に一時的に収納された紙幣や硬貨処理装置３０のリサイクル式硬貨収納部３４に一時的に収納された硬貨の在高（金種毎の数量）等の情報のことをいう。また、「納金データ」とは、貨幣処理機１０において納金処理が行われた紙幣や硬貨の金種毎の数量等の情報のことをいい、「出金データ」とは、貨幣処理機１０において出金処理が行われた紙幣や硬貨の金種毎の数量等の情報のことをいい、「補充データ」とは、貨幣処理機１０において補充処理が行われた紙幣や硬貨の金種毎の数量等の情報のことをいう。【０１３３】
また、「精算データ」とは、リサイクル式紙幣収納部２７から紙幣リジェクト口２２や紙幣返却口２３に戻された紙幣やリサイクル式硬貨収納部３４から硬貨返却口３２に戻された硬貨の金種毎の数量等の情報のことをいう。また、「両替データ」とは、貨幣処理機１０において両替処理が行われた紙幣や硬貨の金種毎の数量等の情報のことをいい、「逆両替データ」とは、貨幣処理機１０において逆両替処理が行われた紙幣や硬貨の金種毎の数量等の情報のことをいい、「枚数計数データ」とは、貨幣処理機１０において計数処理が行われた紙幣や硬貨の金種毎の数量等の情報のことをいう。【０１３４】
また、「在高データ」とは、貨幣収納部４０の紙幣収納カセット４１や硬貨収納カセット４２に収納された紙幣や硬貨の金種毎の数量等の情報のことをいい、「システムデータ」とは、貨幣処理機１０の紙幣処理装置２０、硬貨処理装置３０、貨幣収納部４０の各構成要素の仕様等の情報のことをいい、「障害データ」とは、貨幣処理機１０に故障や障害が発生したときにおける障害の発生箇所や種類等の情報のことをいい、「プログラムデータ」とは、制御部１５に設けられたプログラムに関する情報のことをいう。【０１３５】
このようにデータセンター１４または現金センター１３から貨幣処理機１０の情報を得ることができるので、店舗内に権限のある操作者が常駐していなくとも、貨幣入出金処理システムの運用ができる。各データについて、データを取得した日時や店舗識別情報、貨幣処理機識別情報を含め、いつ、どの貨幣処理機から取得したデータであるかを明確にする。また、締めデータ、引渡データ、警備回収データ、納金データ、出金データ、補充データ、精算データ、両替データ、逆両替データ、枚数計数データおよび障害データについては、操作者のＩＤ情報等、操作者に関する情報や操作を行った日時も含めることにより、誰がいつどの貨幣処理機１０にどのように貨幣に関する操作を行ったのかを管理することができる。【０１３６】
そして、現金センター１３またはデータセンター１４は、貨幣処理機１０から受信した信号における、当該貨幣処理機１０における貨幣の処理状況に係る情報に基づいて、対処を要求する信号を発することができる。【０１３７】
具体的には、リサイクル式紙幣収納部２７やリサイクル式硬貨収納部３４において紙幣や硬貨が満杯になったという情報を貨幣処理機１０から受信すると、現金センター１３またはデータセンター１４は引渡処理を要求する信号を発する。【０１３８】
この引渡処理を要求する信号をもとに、現金センター１３またはデータセンター１４のオペレータは貨幣処理機１０へ引渡数量とともに引渡コマンドを送信し、引渡処理を行う。この引渡数量は、各金種毎に引渡枚数や金額を指定してもよいし、リサイクル式紙幣収納部２７やリサイクル式硬貨収納部３４に残す枚数や金額を各金種毎に指定してもよい。また、引渡処理の引渡数量は、都度入力するのではなく、予め貨幣処理機１０や現金センター１３またはデータセンター１４に設定しておいてもよい。さらに、引渡処理を要求する信号をもとに自動的に引渡コマンドを送信するようにしてもよい。【０１３９】
このようにすることで、権限のある操作者が店舗内に常駐しなくとも、引渡処理が必要な場合に対処できる。【０１４０】
また、貨幣処理機１０の制御部１５は、補充処理や納金処理中に確定キーもしくは取消キーが押下されるべきタイミングでこれらのキーが操作されない状態が一定時間を超えた場合、貨幣処理機１０が操作を要求しているときに放置されていると判断し、コントローラ１２を介して放置信号を現金センター１３またはデータセンター１４に送る。放置信号は、放置が発生したこと、店舗識別情報、貨幣処理機識別情報の他、放置されている処理内容、操作者、金種毎の枚数もしくは金額合計等、放置内容に関する情報を含めるのがよい。放置信号を受信すると、現金センター１３またはデータセンター１４は放置の対処を要求する信号を発する。【０１４１】
この放置の対処を要求する信号をもとに、現金センター１３またはデータセンター１４のオペレータは放置内容を確認し、貨幣処理機１０へ確定コマンドまたは取消コマンドを送信し、処理を終了させる。放置の対処は都度入力するのではなく、放置内容に応じた対処を予め貨幣処理機１０や現金センター１３またはデータセンター１４に設定しておいてもよい。さらに、要放置対処信号をもとに自動的に確定コマンドまたは取消コマンドを送信するようにしてもよい。【０１４２】
このようにすることで、権限のある操作者が店舗内に常駐しなくとも、処理途中で放置された場合に対処することができる。【０１４３】
このとき、補充処理や納金処理中に貨幣処理機１０に設けられた人感センサ等により貨幣処理機１０から操作者が離れたことが検出された場合に、貨幣処理機１０が操作を要求しているときに放置されていると判断してもよい。【０１４４】
また、貨幣処理機１０の制御部１５は、リサイクル式紙幣収納部２７やリサイクル式硬貨収納部３４に収納された紙幣や硬貨の数量の情報に係る信号を現金センター１３またはデータセンター１４に送信するようになっており、貨幣処理機１０からデータセンター１４に送られた、リサイクル式紙幣収納部２７やリサイクル式硬貨収納部３４に収納された紙幣や硬貨の数量が所定量より少ないとき、現金センター１３またはデータセンター１４は補充を要求する信号を発する。【０１４５】
この補充を要求する信号をもとに、現金センター１３またはデータセンター１４のオペレータは貨幣処理機１０の紙幣や硬貨の数量を確認し、補充作業担当者に対して補充作業の手配を行う。このときの補充量はオペレータや補充作業担当者が都度決定してもよく、あるいは、貨幣処理機１０の紙幣や硬貨の数量に応じた補充枚数の決定方法を予め貨幣処理機１０や現金センター１３またはデータセンター１４に設定しておいてもよい。さらに、補充を要求する信号をもとに自動的に補充作業の手配が行われるようにしてもよい。この補充作業の手配は、貨幣処理機１０の紙幣や硬貨の数量または補充を行う紙幣や硬貨の数量、補充対象の店舗識別情報、貨幣処理機識別情報を含む補充データが、補充担当者の端末に送信されることによって行われるようにしてもよい。【０１４６】
このようにすることで、権限のある操作者が店舗内に常駐しなくとも、補充の手配を行うことができる。【０１４７】
また、貨幣処理機１０の制御部１５は、当該貨幣処理機１０に障害が発生したときに障害データを現金センター１３またはデータセンター１４に送信するようになっている。障害データを受信すると、現金センター１３またはデータセンター１４は障害の対処を要求する信号を発する。【０１４８】
この障害の対処を要求する信号をもとに、現金センター１３またはデータセンター１４のオペレータは障害内容を確認し、また、リサイクル式貨幣収納部在高データや在高データなどを参照して、障害への対処方法を障害が発生した店舗の係員に指示することができる。これによって、例えば搬送路上にあり管理権限が店舗側にあるか収集特定者側にあるか不明な紙幣や硬貨の管理権限を判定し、これらの紙幣や硬貨を適切な場所に収納する等の処理を行い、貨幣処理機１０内の現金の管理権限や、各収納部に収納されている現金量を確定する。【０１４９】
このようにすることで、権限のある操作者が店舗内に常駐しなくとも、障害発生時の対処ができる。【０１５０】
なお、引渡処理を要求する信号、放置の対処を要求する信号、補充を要求する信号、障害の対処を要求する信号は、現金センター１３またはデータセンター１４の端末等の画面表示でもよいし、音でもよいし、端末や他のセンターに対する信号送信でもよい。【０１５１】
以上の実施の形態では、現金センター１３とデータセンター１４は同じ権限を持った中央制御装置として説明を行ったが、権限を異ならせることもできる。【０１５２】
具体的には、図１Ｃに示すように、現金センター１３は収集特定者の管理下とし、収集特定者に管理権限がある貨幣収納部４０に関するデータや命令の送受信が可能であり、一方、データセンター１４は店舗側の管理下とし、店舗側に管理権限がある貨幣リサイクル処理機構（リサイクル式紙幣収納部２７やリサイクル式硬貨収納部３４）に関するデータや命令の送受信が可能であるという構成としてもよい。このとき、現金センター１３とデータセンター１４との間で必要なデータの交換をするようにしてもよい。【０１５３】
この場合、店舗に権限のある操作者を配置することなく、貨幣入出金処理システムを運用しつつ、自らの管理権下にある部分へ、他者がアクセスすることを防ぐことができる。【０１５４】
また、図１Ｄに示すように、データセンター１４が貨幣処理機１０から貨幣リサイクル処理機構（リサイクル式紙幣収納部２７やリサイクル式硬貨収納部３４）に関するデータ等を受信し、これを現金センター１３に転送し、これに基づいて現金センター１３から貨幣処理機１０にコマンドを送信するようにしてもよい。【０１５５】
この場合、店舗に権限のある操作者を配置することなく、複数の中央制御装置が存在しても権限のある操作者は現金センター１３に配置するだけで、貨幣入出金処理システムを運用することができる。【０１５６】
以上のように本実施の形態の貨幣入出金処理システムによれば、現金センター１３やデータセンター１４に設けられた中央制御装置が貨幣処理機１０と通信接続されており、中央制御装置が貨幣処理機１０の遠隔操作を行うようになっている。そして、貨幣リサイクル処理機構（リサイクル式紙幣収納部２７やリサイクル式硬貨収納部３４）は第１の管理権限下にあり、貨幣収納部４０は第２の管理権限下にある。また、中央制御装置は、貨幣処理機１０における貨幣収納部４０および紙幣処理装置２０、硬貨処理装置３０のそれぞれ対して信号の送受信を行うようになっている。【０１５７】
このため、貨幣入出金処理システムは、貨幣処理機１０を設置した店舗毎に権限のある操作者を常時配置しなくとも運用することができる。
【図１Ａ】
2010004640.tif 000003
【図１Ｂ】
2010004640.tif 000004
【図１Ｃ】
2010004640.tif 000005
【図１Ｄ】
2010004640.tif 000006
【図２】
2010004640.tif 000007
【図３Ａ】
2010004640.tif 000008
【図３Ｂ】
2010004640.tif 000009
【図４】
2010004640.tif 000010
【図５Ａ】
2010004640.tif 000011
【図５Ｂ】
2010004640.tif 000012
【図６Ａ】
2010004640.tif 000013
【図６Ｂ】
2010004640.tif 000014
【図７Ａ】
2010004640.tif 000015
【図７Ｂ】
2010004640.tif 000016
【図７Ｃ】
2010004640.tif 000017
【図７Ｄ】
2010004640.tif 000018
【図７Ｅ】
2010004640.tif 000019
【図８Ａ】
2010004640.tif 000020
【図８Ｂ】
2010004640.tif 000021
【図８Ｃ】
2010004640.tif 000022
【図８Ｄ】
2010004640.tif 000023
【図８Ｅ】
2010004640.tif 000024
【図８Ｆ】
2010004640.tif 000025
【図９】
2010004640.tif 000026
【図１０】
2010004640.tif 000027
【図１１Ａ】
2010004640.tif 000028
【図１１Ｂ】
2010004640.tif 000029
【図１２Ａ】
2010004640.tif 000030
【図１２Ｂ】
2010004640.tif 000031
【図１３Ａ】
2010004640.tif 000032
【図１３Ｂ】
2010004640.tif 000033
【図１３Ｃ】
2010004640.tif 000034
【図１４Ａ】
2010004640.tif 000035
【図１４Ｂ】
2010004640.tif 000036
【図１４Ｃ】
2010004640.tif 000037
【図１５Ａ】
2010004640.tif 000038
【図１５Ｂ】
2010004640.tif 000039
【図１５Ｃ】
2010004640.tif 000040
【図１６Ａ】
2010004640.tif 000041
【図１６Ｂ】
2010004640.tif 000042
【図１６Ｃ】
2010004640.tif 000043
【図１７】
2010004640.tif 000044
【図１８Ａ】
2010004640.tif 000045
【図１８Ｂ】
2010004640.tif 000046
【図１９Ａ】
2010004640.tif 000047
【図１９Ｂ】
2010004640.tif 000048
【図２０Ａ】
2010004640.tif 000049
【図２０Ｂ】
2010004640.tif 000050
【図２１】
2010004640.tif 000051
【国際調査報告】
2010004640.tif 000052
2010004640.tif 000053
2010004640.tif 000054
2010004640.tif 000055